(57)【要約】  本発明の実施例は、ハンドオーバーのためのリソース設定方法、ネットワークアクセスポイント、及び移動局を提供し、当該方法は、第１ネットワークアクセスポイントは、第２ネットワークアクセスポイントとの間のハンドオーバーリソース設定情報を確定することと、前記第１ネットワークアクセスポイントは、前記ハンドオーバーリソース設定情報を移動局に送信することと、前記第１ネットワークアクセスポイントは、前記移動局より送信されたハンドオーバー指示情報を受信することとを含み、前記ハンドオーバー指示情報が、前記移動局が間もなくハンドオーバーを行うことを示すために用いられる。本発明の実施例において、移動局の移動が方向性の予測可能という特徴を利用し、ハンドオーバーリソースの概念を導入することによって、ネットワークアクセスポイントの間でハンドオーバーリソースを予め協調し、移動局がハンドオーバーする必要がある時に、当該ハンドオーバーリソースを用いてハンドオーバーを行うことが可能であり、それによってハンドオーバーの中断時間を短縮することができる。
2019507967.tif 000002
【特許請求の範囲】
【請求項１】
ハンドオーバーのためのリソース設定方法であって、
第１ネットワークアクセスポイントは、第２ネットワークアクセスポイントとの間のハンドオーバーリソース設定情報を確定することと、
前記第１ネットワークアクセスポイントは、前記ハンドオーバーリソース設定情報を移動局に送信することと、
前記第１ネットワークアクセスポイントは、前記移動局より送信されたハンドオーバー指示情報を受信することと、
を含み、前記ハンドオーバー指示情報が、前記移動局が間もなくハンドオーバーを行うことを示すために用いられる、
ことを特徴とする前記ハンドオーバーのためのリソース設定方法。
【請求項２】
前記第１ネットワークアクセスポイントが、前記移動局より送信されたハンドオーバー指示情報を受信した後に、前記方法は、
前記第１ネットワークアクセスポイントは前記移動局に第１指示情報を送信することをさらに含み、
前記第１指示情報が、前記移動局が前記ハンドオーバーリソース設定情報に指示された設定を使用して、前記第１ネットワークアクセスポイント及び／又は前記第２ネットワークアクセスポイントと通信するように指示するために用いられる、
ことを特徴とする請求項１に記載のハンドオーバーのためのリソース設定方法。
【請求項３】
前記第１ネットワークアクセスポイントは、前記移動局より送信された前記第２ネットワークアクセスポイントの識別情報を受信することと、
前記第１ネットワークアクセスポイントは、前記ハンドオーバー指示情報と前記識別情報とに基づいて、前記移動局が間もなく前記第２ネットワークアクセスポイントへハンドオーバーすることを確定することと、
をさらに含む、ことを特徴とする請求項１又は２に記載のハンドオーバーのためのリソース設定方法。
【請求項４】
前記第１ネットワークアクセスポイントが前記移動局に第１指示情報を送信することは、
前記移動局が間もなく前記第１ネットワークアクセスポイントから前記第２ネットワークアクセスポイントへハンドオーバーすることを確定した場合、前記移動局へ前記第１指示情報を送信すること、
を含む、ことを特徴とする請求項２に記載のハンドオーバーのためのリソース設定方法。
【請求項５】
前記移動局に第１指示情報を送信する前に、
前記移動局の移動軌跡に基づいて、前記移動局が間もなく前記第１ネットワークアクセスポイントから前記第２ネットワークアクセスポイントへハンドオーバーすることを確定することと、
前記移動局のフィードバックされた測定信号の強度に基づいて、前記移動局が間もなく前記第１ネットワークアクセスポイントから前記第２ネットワークアクセスポイントへハンドオーバーすることを確定することと、
前記移動局の移動軌跡と移動速度に基づいて、前記移動局が間もなく前記第１ネットワークアクセスポイントから前記第２ネットワークアクセスポイントへハンドオーバーすることを確定することと、
をさらに含む、ことを特徴とする請求項４に記載のハンドオーバーのためのリソース設定方法。
【請求項６】
前記第１指示情報は、物理層の制御シグナリングのリザーブ情報ビットによって指示を行っており、又は、
前記第１指示情報は、割り当てた新たな無線ネットワーク一時識別子（ＲＮＴＩ）によって指示を行っており、又は、
前記第１指示情報は、新しい物理層の制御シグナリングのフォーマットによって指示を行っている、
ことを特徴とする請求項２、４又は５に記載のハンドオーバーのためのリソース設定方法。
【請求項７】
前記ハンドオーバー指示情報は、物理層の制御シグナリングのリザーブ情報ビットによって指示を行っており、又は、
前記ハンドオーバー指示情報は、メディアアクセス制御（ＭＡＣ）層のシグナリングによって指示を行っており、又は、
前記ハンドオーバー指示情報は、無線リソース制御（ＲＲＣ）シグナリングによって指示を行っている、
ことを特徴とする請求項１〜６のいずれか１項に記載のハンドオーバーのためのリソース設定方法。
【請求項８】
前記第１ネットワークアクセスポイントが、第２ネットワークアクセスポイントとの間のハンドオーバーリソース設定情報を確定することは、
前記第１ネットワークアクセスポイントは、前記第１ネットワークアクセスポイントと前記第２ネットワークアクセスポイントとの間の通信インターフェースを介して、前記第２ネットワークアクセスポイントと協調を行い、前記ハンドオーバーリソース設定情報を確定すること、
を含む、ことを特徴とする請求項１〜７のいずれか１項に記載のハンドオーバーのためのリソース設定方法。
【請求項９】
前記ハンドオーバーリソース設定情報は、
物理時間周波数リソースブロックの位置情報、変調シンボル化方式情報、基準信号の設定情報、アンテナ設定情報のうちの少なくとも一つを含む、ことを特徴とする請求項１〜８のいずれか１項に記載のハンドオーバーのためのリソース設定方法。
【請求項１０】
前記第１ネットワークアクセスポイントが、前記ハンドオーバーリソース設定情報を移動局に送信することは、
前記移動局が前記第１ネットワークアクセスポイントのネットワークにアクセスする場合、前記ハンドオーバーリソース設定情報を前記移動局に送信すること、又は、
前記移動局が前記第１ネットワークアクセスポイントのネットワークにアクセスした後に、前記ハンドオーバーリソース設定情報を前記移動局に送信すること、又は、
前記移動局が間もなく前記第１ネットワークアクセスポイントから前記第２ネットワークアクセスポイントへハンドオーバーすることを確定した場合、前記ハンドオーバーリソース設定情報を前記移動局に送信すること、を含む、
ことを特徴とする請求項１〜９のいずれか１項に記載のハンドオーバーのためのリソース設定方法。
【請求項１１】
前記ハンドオーバーリソース設定情報を前記移動局に送信することは、
システム情報ブロードキャストを介して、前記ハンドオーバーリソース設定情報を前記移動局に送信すること、又は
制御シグナリングを介して、前記ハンドオーバーリソース設定情報を前記移動局に送信すること、
を含む、ことを特徴とする請求項１〜１０のいずれか１項に記載のハンドオーバーのためのリソース設定方法。
【請求項１２】
前記移動局が前記ハンドオーバーリソースを用いて送信されたアップリンクデータを受信することをさらに含む、
ことを特徴とする請求項１〜１１のいずれか１項に記載のハンドオーバーのためのリソース設定方法。
【請求項１３】
前記移動局が前記ハンドオーバーリソースを用いて送信されたアップリンクデータを受信することは、
前記第１ネットワークアクセスポイントは、少なくとも一つのその他のネットワークアクセスポイントと協調を行い、前記移動局が前記ハンドオーバーリソースを用いて送信された前記アップリンクデータを受信することを含む、
ことを特徴とする請求項１２に記載のハンドオーバーのためのリソース設定方法。
【請求項１４】
前記第１ネットワークアクセスポイントと前記少なくとも一つのその他のネットワークアクセスポイントとは、全く同じ又は完全に異なる物理リソース設定情報を使用して、前記移動局が前記ハンドオーバーリソースを用いて送信された前記アップリンクデータを受信する、
ことを特徴とする請求項１３に記載のハンドオーバーのためのリソース設定方法。
【請求項１５】
前記少なくとも一つのその他のネットワークアクセスポイントは、前記第２ネットワークアクセスポイントを含む、
ことを特徴とする請求項１３又は１４に記載のハンドオーバーのためのリソース設定方法。
【請求項１６】
前記移動局が前記ハンドオーバーリソースを用いて送信されたアップリンクデータを受信することは、
前記移動局より送信された複数個の同じのアップリンクデータパケットを受信し、そのうちの一つのアップリンクデータパケットをアップリンク受信データパケットとして確定し、当該アップリンク受信データパケット内の前記アップリンクデータを取得することを含む、
ことを特徴とする請求項１２〜１５のいずれか１項に記載のハンドオーバーのためのリソース設定方法。
【請求項１７】
前記第１ネットワークアクセスポイントは、前記移動局にダウンリンクデータを送信することをさらに含む、
ことを特徴とする請求項１〜１６のいずれか１項に記載のハンドオーバーのためのリソース設定方法。
【請求項１８】
前記移動局にダウンリンクデータを送信することは、
前記第１ネットワークアクセスポイントは、少なくとも一つのその他のネットワークアクセスポイントと協調を行い、前記移動局に前記ダウンリンクデータを送信することを含む、
ことを特徴とする請求項１７に記載のハンドオーバーのためのリソース設定方法。
【請求項１９】
前記第１ネットワークアクセスポイントと前記少なくとも一つのその他のネットワークアクセスポイントとは、全く同じ又は完全に異なる物理リソース設定情報を使用して、前記移動局に前記ダウンリンクデータを送信する、
ことを特徴とする請求項１８に記載のハンドオーバーのためのリソース設定方法。
【請求項２０】
前記少なくとも一つのその他のネットワークアクセスポイントは、前記第２ネットワークアクセスポイントを含む、
ことを特徴とする請求項１８又は１９に記載のハンドオーバーのためのリソース設定方法。
【請求項２１】
前記移動局にダウンリンクデータを送信することは、
前記移動局が、そのうちの一つのダウンリンクデータパケットをダウンリンク受信データパケットとして確定し、当該ダウンリンク受信データパケット内の前記ダウンリンクデータを取得するために、前記移動局に複数個の同じのダウンリンクデータパケットを送信すること、を含む、
ことを特徴とする請求項１７〜２０のいずれか１項に記載のハンドオーバーのためのリソース設定方法。
【請求項２２】
前記第１ネットワークアクセスポイントは、前記第２ネットワークアクセスポイントと同期し、又は、前記第１ネットワークアクセスポイントと前記第２ネットワークアクセスポイントとの間に固定の第１タイミングオフセットを有する、
ことを特徴とする請求項１〜２１のいずれか１項に記載のハンドオーバーのためのリソース設定方法。
【請求項２３】
前記第１ネットワークアクセスポイントは前記移動局と同期し、又は前記第１ネットワークアクセスポイントと前記移動局との間に固定の第２タイミングオフセットを有する、
ことを特徴とする請求項１〜２２のいずれか１項に記載のハンドオーバーのためのリソース設定方法。
【請求項２４】
前記第１ネットワークアクセスポイントは前記移動局に第２指示情報を送信することをさらに含み、
ここで、前記第２指示情報は、前記第１ネットワークアクセスポイントと前記第２ネットワークアクセスポイントとの間の同期情報、前記移動局の速度情報、前記移動局の移動軌跡情報のうちの少なくとも一つを含む、
ことを特徴とする請求項１〜２３のいずれか１項に記載のハンドオーバーのためのリソース設定方法。
【請求項２５】
ハンドオーバーのためのリソース設定方法であって、
移動局は、第１ネットワークアクセスポイントより送信されたハンドオーバーリソース設定情報を取得することと、
前記移動局は、前記第１ネットワークアクセスポイントにハンドオーバー指示情報を送信することと、
前記移動局が前記ハンドオーバーリソース設定情報に指示された設定を使用して、前記第１ネットワークアクセスポイント及び／又は第２ネットワークアクセスポイントと通信を行うことと、
を含み、前記ハンドオーバー指示情報が、前記移動局が間もなくハンドオーバーを行うことを示すために用いられる、
ことを特徴とする前記ハンドオーバーのためのリソース設定方法。
【請求項２６】
前記移動局は、前記第１ネットワークアクセスポイントが前記ハンドオーバー指示情報に基づいて送信された第１指示情報を受信することをさらに含み、前記第１指示情報が、前記移動局が前記ハンドオーバーリソース設定情報に指示された設定を使用して、前記第１ネットワークアクセスポイント及び／又は前記第２ネットワークアクセスポイントと通信するように指示するために用いられ、
前記移動局が前記ハンドオーバーリソース設定情報に指示された設定を使用して、前記第１ネットワークアクセスポイント及び／又は前記第２ネットワークアクセスポイントと通信することは、
前記移動局は、前記第１指示情報基づいて、前記ハンドオーバーリソース設定情報に指示された設定を使用して、前記第１ネットワークアクセスポイント及び／又は第２ネットワークアクセスポイントと通信を行うことを含む、
ことを特徴とする請求項２５に記載のハンドオーバーのためのリソース設定方法。
【請求項２７】
前記第１ネットワークアクセスポイントが識別情報と前記ハンドオーバー指示情報とに基づいて、前記移動局が間もなく前記第２ネットワークアクセスポイントへハンドオーバーすることを確定するために、前記移動局は、前記第１ネットワークアクセスポイントに第２ネットワークアクセスポイントの前記識別情報を送信することをさらに含む、
ことを特徴とする請求項２５又は２６に記載のハンドオーバーのためのリソース設定方法。
【請求項２８】
前記移動局が、前記第１ネットワークアクセスポイントにハンドオーバー指示情報を送信することは、
前記移動局が前記移動局が間もなくハンドオーバーを行うことを確定した場合、前記第１ネットワークアクセスポイントに前記ハンドオーバー指示情報を送信することを含む、
ことを特徴とする請求項２５〜２７のいずれか１項に記載のハンドオーバーのためのリソース設定方法。
【請求項２９】
前記移動局は前記移動局の移動軌跡に基づいて間もなくハンドオーバーをするか否かを確定すること、又は
前記移動局は、前記第１ネットワークアクセスポイントの信号を受信する強度ことによって、間もなくハンドオーバーをするか否かを確定すること、又は
前記移動局は、前記移動局の移動軌跡と移動速度に基づいて、間もなくハンドオーバーをするか否かを確定すること、
をさらに含む、ことを特徴とする請求項２８に記載のハンドオーバーのためのリソース設定方法。
【請求項３０】
前記第１指示情報は、物理層の制御シグナリングのリザーブ情報ビットによって指示を行っており、又は
前記第１指示情報は、割り当てた新たな無線ネットワーク一時識別子（ＲＮＴＩ）によって指示を行っており、又は
前記第１指示情報は、新しい物理層の制御シグナリングのフォーマットによって指示を行っている、
ことを特徴とする請求項２６に記載のハンドオーバーのためのリソース設定方法。
【請求項３１】
前記ハンドオーバー指示情報は、物理層の制御シグナリングのリザーブ情報ビットによって指示を行っており、又は
前記ハンドオーバー指示情報は、メディアアクセス制御（ＭＡＣ）層のシグナリングによって指示を行っており、又は
前記ハンドオーバー指示情報は、無線リソース制御（ＲＲＣ）シグナリングによって指示を行っている、
ことを特徴とする請求項２５〜３０のいずれか１項に記載のハンドオーバーのためのリソース設定方法。
【請求項３２】
前記移動局が、第１ネットワークアクセスポイントより送信されたハンドオーバーリソース設定情報を取得することは、
前記移動局が前記第１ネットワークアクセスポイントのネットワークにアクセスする時に、前記第１ネットワークアクセスポイントより送信された前記ハンドオーバーリソース設定情報を受信すること、又は、
前記移動局が前記第１ネットワークアクセスポイントのネットワークにアクセスした後に、前記第１ネットワークアクセスポイントより送信された前記ハンドオーバーリソース設定情報を受信すること、又は、
前記移動局が間もなく前記第１ネットワークアクセスポイントから前記第２ネットワークアクセスポイントへハンドオーバーする時に、前記第１ネットワークアクセスポイントより送信された前記ハンドオーバーリソース設定情報を受信すること、
を含む、ことを特徴とする請求項２５〜３１のいずれか１項に記載のハンドオーバーのためのリソース設定方法。
【請求項３３】
前記ハンドオーバーリソース設定情報は、前記第１ネットワークアクセスポイントシステム情報ブロードキャストを介して送信されたものであり、又は
前記ハンドオーバーリソース設定情報は、前記第１ネットワークアクセスポイント制御シグナリングを介して送信されたものである、
ことを特徴とする請求項２５〜３２のいずれか１項に記載のハンドオーバーのためのリソース設定方法。
【請求項３４】
前記第１ネットワークアクセスポイント及び／又は前記第２ネットワークアクセスポイントと通信することは、
前記第１ネットワークアクセスポイント及び／又は前記第２ネットワークアクセスポイントが、アップリンクデータを受信するために、前記移動局は前記ハンドオーバーリソースを用いて、前記アップリンクデータを送信することを含む、
ことを特徴とする請求項２５〜３３のいずれか１項に記載のハンドオーバーのためのリソース設定方法。
【請求項３５】
前記移動局が前記ハンドオーバーリソースを用いてアップリンクデータを送信することは、
前記アップリンクデータが前記第１ネットワークアクセスポイントと前記第２ネットワークアクセスポイントとに同時に届くために、前記移動局は、前記ハンドオーバーリソースを用いて、予め設定されたサイクリックプレフィックス（ＣＰ）値を採用し、前記アップリンクデータを送信することを含み、
ここで、前記予め設定されたＣＰ値が固定の閾値より大きい、
ことを特徴とする請求項３４に記載のハンドオーバーのためのリソース設定方法。
【請求項３６】
前記第１ネットワークアクセスポイント及び／又は前記第２ネットワークアクセスポイントと通信することは、
前記移動局は、前記ハンドオーバーリソースを用いて、前記第１ネットワークアクセスポイント及び／又は前記第２ネットワークアクセスポイントより送信されたダウンリンクデータを受信することを含む、
ことを特徴とする請求項２５〜３５のいずれか１項に記載のハンドオーバーのためのリソース設定方法。
【請求項３７】
前記移動局が、前記ハンドオーバーリソースを用いて、前記第１ネットワークアクセスポイント及び／又は前記第２ネットワークアクセスポイントより送信されたダウンリンクデータを受信することは、
前記移動局は、前記第１ネットワークアクセスポイント及び／又は前記第２ネットワークアクセスポイントより送信された複数個の同じのダウンリンクデータパケットを受信することと、
前記複数個の同じのダウンリンクデータパケットのうちの一つをダウンリンク受信データパケットとして確定することと、
前記ダウンリンク受信データパケット内の前記ダウンリンクデータを取得することと、
を含む、ことを特徴とする請求項３６に記載のハンドオーバーのためのリソース設定方法。
【請求項３８】
前記移動局は前記第１ネットワークアクセスポイントと同期し、又は、前記移動局と前記第１ネットワークアクセスポイントとの間に固定の第２タイミングオフセットを有する、
ことを特徴とする請求項２５〜３７のいずれか１項に記載のハンドオーバーのためのリソース設定方法。
【請求項３９】
前記ハンドオーバーリソースは、
物理時間周波数リソースブロックの位置情報、変調符号化設定情報、基準信号の設定情報、アンテナ設定情報のうちの少なくとも一つを含む、
ことを特徴とする請求項２５〜３８のいずれか１項に記載のハンドオーバーのためのリソース設定方法。
【請求項４０】
前記移動局は、前記第１ネットワークアクセスポイントより送信された第２指示情報を受信することと、
前記移動局は前記第２指示情報に基づいて、前記第２ネットワークアクセスポイントのアップリンク同期情報を取得することと、
をさらに含み、
前記第２指示情報は、前記第１ネットワークアクセスポイントと前記第２ネットワークアクセスポイントとの間の同期情報、前記移動局の速度情報、前記移動局の移動軌跡情報のうちの少なくとも一つを含む、
ことを特徴とする請求項２５〜３９のいずれか１項に記載のハンドオーバーのためのリソース設定方法。
【請求項４１】
ネットワークアクセスポイントであって、前記ネットワークアクセスポイントが第１ネットワークアクセスポイントであり、
第２ネットワークアクセスポイントとの間のハンドオーバーリソース設定情報を確定するように構成される確定ユニットと、
前記確定ユニットで確定された前記ハンドオーバーリソース設定情報を移動局に送信するように構成される送信ユニットと、
前記移動局より送信されたハンドオーバー指示情報を受信するように構成される受信ユニットと、
を含み、前記ハンドオーバー指示情報が、前記移動局が間もなくハンドオーバーを行うことを示すために用いられる、
ことを特徴とする前記ネットワークアクセスポイント。
【請求項４２】
前記送信ユニットは、前記移動局に第１指示情報を送信するようにさらに構成され、
前記第１指示情報が、前記移動局が前記ハンドオーバーリソース設定情報に指示された設定を使用して、前記第１ネットワークアクセスポイント及び／又は前記第２ネットワークアクセスポイントと通信するように指示するために用いられる、
ことを特徴とする請求項４１に記載のネットワークアクセスポイント。
【請求項４３】
前記受信ユニットは、前記移動局より送信された前記第２ネットワークアクセスポイントの識別情報を受信するようにさらに構成され、
前記確定ユニットは、前記ハンドオーバー指示情報と前記識別情報とに基づいて、前記移動局が間もなく前記第２ネットワークアクセスポイントへハンドオーバーすることを確定するようにさらに構成される、
ことを特徴とする請求項４１又は４２に記載のネットワークアクセスポイント。
【請求項４４】
前記送信ユニットは、具体的に、前記確定ユニットが、前記移動局が間もなく前記第１ネットワークアクセスポイントから前記第２ネットワークアクセスポイントへハンドオーバーすることを確定した場合、前記移動局へ前記第１指示情報を送信するように構成される、
ことを特徴とする請求項４２に記載のネットワークアクセスポイント。
【請求項４５】
前記確定ユニットは、
前記移動局の移動軌跡に基づいて、前記移動局が間もなく前記第１ネットワークアクセスポイントから前記第２ネットワークアクセスポイントへハンドオーバーすることを確定し、
前記移動局のフィードバックされた測定信号の強度に基づいて、前記移動局が間もなく前記第１ネットワークアクセスポイントから前記第２ネットワークアクセスポイントへハンドオーバーすることを確定し、
前記移動局の移動軌跡と移動速度に基づいて、前記移動局が間もなく前記第１ネットワークアクセスポイントから前記第２ネットワークアクセスポイントへハンドオーバーすることを確定するようにさらに構成される、
ことを特徴とする請求項４４に記載のネットワークアクセスポイント。
【請求項４６】
前記第１指示情報は、物理層の制御シグナリングのリザーブ情報ビットによって指示を行っており、又は
前記第１指示情報は、割り当てた新たな無線ネットワーク一時識別子（ＲＮＴＩ）によって指示を行っており、又は
前記第１指示情報は、新しい物理層の制御シグナリングのフォーマットによって指示を行っている、
ことを特徴とする請求項４２、４４又は４５に記載のネットワークアクセスポイント。
【請求項４７】
前記ハンドオーバー指示情報は、物理層の制御シグナリングのリザーブ情報ビットによって指示を行っており、又は、
前記ハンドオーバー指示情報は、メディアアクセス制御（ＭＡＣ）層のシグナリングによって指示を行っており、又は、
前記ハンドオーバー指示情報は、無線リソース制御（ＲＲＣ）シグナリングによって指示を行っている、
ことを特徴とする請求項４１〜４６のいずれか１項に記載のネットワークアクセスポイント。
【請求項４８】
前記確定ユニットは、具体的に、前記第１ネットワークアクセスポイントと前記第２ネットワークアクセスポイントとの間の通信インターフェースを介して、前記第２ネットワークアクセスポイントと協調を行い、前記ハンドオーバーリソース設定情報を確定するように構成される、
ことを特徴とする請求項４１〜４７のいずれか１項に記載のネットワークアクセスポイント。
【請求項４９】
前記ハンドオーバーリソース設定情報は、
物理時間周波数リソースブロックの位置情報、変調シンボル化方式情報、基準信号の設定情報、アンテナ設定情報のうちの少なくとも一つを含む、
ことを特徴とする請求項４１〜４８のいずれか１項に記載のネットワークアクセスポイント。
【請求項５０】
前記送信ユニットは、具体的に、
前記移動局が前記第１ネットワークアクセスポイントのネットワークにアクセスする場合、前記ハンドオーバーリソース設定情報を前記移動局に送信し、又は
前記移動局が前記第１ネットワークアクセスポイントのネットワークにアクセスした後に、前記ハンドオーバーリソース設定情報を前記移動局に送信し、又は
前記移動局が間もなく前記第１ネットワークアクセスポイントから前記第２ネットワークアクセスポイントへハンドオーバーすることを確定した場合、前記ハンドオーバーリソース設定情報を前記移動局に送信するように構成される、
ことを特徴とする請求項４１〜４９のいずれか１項に記載のネットワークアクセスポイント。
【請求項５１】
前記送信ユニットは、具体的に、
システム情報ブロードキャストを介して、前記ハンドオーバーリソース設定情報を前記移動局に送信し、又は
制御シグナリングを介して、前記ハンドオーバーリソース設定情報を前記移動局に送信するように構成される、
ことを特徴とする請求項４１〜５０のいずれか１項に記載のネットワークアクセスポイント。
【請求項５２】
前記受信ユニットは、前記移動局が前記ハンドオーバーリソースを用いて送信されたアップリンクデータを受信するようにさらに構成される、
ことを特徴とする請求項４１〜５１のいずれか１項に記載のネットワークアクセスポイント。
【請求項５３】
前記受信ユニットは、具体的に、
少なくとも一つのその他のネットワークアクセスポイントと協調し、前記移動局が前記ハンドオーバーリソースを用いて送信された前記アップリンクデータを受信するように構成される、
ことを特徴とする請求項５２に記載のネットワークアクセスポイント。
【請求項５４】
前記受信ユニットは、具体的に、
前記第１ネットワークアクセスポイントと前記少なくとも一つのその他のネットワークアクセスポイントとは、全く同じ又は完全に異なる物理リソース設定情報を使用して、前記移動局が前記ハンドオーバーリソースを用いて送信された前記アップリンクデータを受信するように構成される、
ことを特徴とする請求項５３に記載のネットワークアクセスポイント。
【請求項５５】
前記少なくとも一つのその他のネットワークアクセスポイントは、前記第２ネットワークアクセスポイントを含む、
ことを特徴とする請求項５３又は５４に記載のネットワークアクセスポイント。
【請求項５６】
前記受信ユニットは、具体的に、
前記移動局より送信された複数個の同じのアップリンクデータパケットを受信し、そのうちの一つのアップリンクデータパケットをアップリンク受信データパケットとして確定し、当該アップリンク受信データパケット内の前記アップリンクデータを取得するように構成される、
ことを特徴とする請求項４２〜５５のいずれか１項に記載のネットワークアクセスポイント。
【請求項５７】
前記送信ユニットは、
前記移動局にダウンリンクデータを送信するようにさらに構成される、
ことを特徴とする請求項４１〜５６のいずれか１項に記載のネットワークアクセスポイント。
【請求項５８】
前記送信ユニットは、具体的に、
少なくとも一つのその他のネットワークアクセスポイントと協調し、前記移動局に前記ダウンリンクデータを送信するように構成される、
ことを特徴とする請求項５７に記載のネットワークアクセスポイント。
【請求項５９】
前記送信ユニットは、具体的に、
前記第１ネットワークアクセスポイントと前記少なくとも一つのその他のネットワークアクセスポイントとは、全く同じ又は完全に異なる物理リソース設定情報を使用して、前記移動局に前記ダウンリンクデータを送信するように構成される、
ことを特徴とする請求項５８に記載のネットワークアクセスポイント。
【請求項６０】
前記少なくとも一つのその他のネットワークアクセスポイントは、前記第２ネットワークアクセスポイントを含む、
ことを特徴とする請求項５８又は５９に記載のネットワークアクセスポイント。
【請求項６１】
前記送信ユニットは、具体的に、
前記移動局が、そのうちの一つのダウンリンクデータパケットをダウンリンク受信データパケットとして確定し、当該ダウンリンク受信データパケット内の前記ダウンリンクデータを取得するために、前記移動局に複数個の同じのダウンリンクデータパケットを送信するように構成される、
ことを特徴とする請求項５７〜６０に記載のネットワークアクセスポイント。
【請求項６２】
前記第１ネットワークアクセスポイントは、前記第２ネットワークアクセスポイントと同期し、又は、前記第１ネットワークアクセスポイントと前記第２ネットワークアクセスポイントとの間に固定の第１タイミングオフセットを有する、
ことを特徴とする請求項４１〜６１に記載のネットワークアクセスポイント。
【請求項６３】
前記第１ネットワークアクセスポイントは前記移動局と同期し、又は前記第１ネットワークアクセスポイントと前記移動局との間に固定の第２タイミングオフセットを有する、
ことを特徴とする請求項４１〜６２に記載のネットワークアクセスポイント。
【請求項６４】
前記送信ユニットは、
前記移動局に第２指示情報を送信するようにさらに構成され、ここで、前記第２指示情報は、前記第１ネットワークアクセスポイントと前記第２ネットワークアクセスポイントとの間の同期情報、前記移動局の速度情報、前記移動局の移動軌跡情報のうちの少なくとも一つを含む、
ことを特徴とする請求項４１〜６３に記載のネットワークアクセスポイント。
【請求項６５】
移動局であって、
第１ネットワークアクセスポイントより送信されたハンドオーバーリソース設定情報を取得するように構成される取得ユニットと、
前記第１ネットワークアクセスポイントにハンドオーバー指示情報を送信するように構成される送信ユニットと、
前記ハンドオーバーリソース設定情報に指示された設定を用いて、前記第１ネットワークアクセスポイント及び／又は第２ネットワークアクセスポイントと通信を行うように構成される通信ユニットと、
を含み、前記ハンドオーバー指示情報が、前記移動局が間もなくハンドオーバーを行うことを示すために用いられる、
ことを特徴とする前記移動局。
【請求項６６】
前記移動局は、
前記第１ネットワークアクセスポイントより送信された第１指示情報を受信するように構成される受信ユニットをさらに含み、前記第１指示情報が、前記移動局が前記取得ユニットで取得した前記ハンドオーバーリソース設定情報に指示された設定を使用するために用いられ、
前記通信ユニットは、具体的に、前記第１指示情報に基づいて、前記ハンドオーバーリソース設定情報に指示された設定を用いて、前記第１ネットワークアクセスポイント及び／又は前記第２ネットワークアクセスポイントと通信するように構成される、
ことを特徴とする請求項６５に記載の移動局。
【請求項６７】
前記第１ネットワークアクセスポイントが前記識別情報と前記ハンドオーバー指示情報とに基づいて、前記移動局が間もなく前記第２ネットワークアクセスポイントへハンドオーバーすることを確定するために、前記送信ユニットは、前記第１ネットワークアクセスポイントに第２ネットワークアクセスポイントの識別情報を送信するようにさらに構成される、
ことを特徴とする請求項６５又は６６に記載の移動局。
【請求項６８】
前記送信ユニットは、具体的に、前記移動局が前記移動局が間もなくハンドオーバーを行うことを確定した場合、前記移動局に前記ハンドオーバー指示情報を送信するように構成される、
ことを特徴とする請求項６５〜６７のいずれか１項に記載の移動局。
【請求項６９】
前記移動局は、
前記移動局の移動軌跡に基づいて、間もなくハンドオーバーをするか否かを確定し、又は
前記第１ネットワークアクセスポイントから受信された信号の強度に基づいて、間もなくハンドオーバーをするか否かを確定し、又は
前記移動局の移動軌跡と移動速度に基づいて、間もなくハンドオーバーをするか否かを確定するように構成される確定ユニット、をさらに含む、
ことを特徴とする請求項６８に記載の移動局。
【請求項７０】
前記第１指示情報は、物理層の制御シグナリングのリザーブ情報ビットによって指示を行っており、又は、
前記第１指示情報は、割り当てた新たな無線ネットワーク一時識別子（ＲＮＴＩ）によって指示を行っており、又は、
前記第１指示情報は、新しい物理層の制御シグナリングのフォーマットによって指示を行っている、
ことを特徴とする請求項６６に記載の移動局。
【請求項７１】
前記ハンドオーバー指示情報は、物理層の制御シグナリングのリザーブ情報ビットによって指示を行っており、又は、
前記ハンドオーバー指示情報は、メディアアクセス制御（ＭＡＣ）層のシグナリングによって指示を行っており、又は、
前記ハンドオーバー指示情報は、無線リソース制御（ＲＲＣ）シグナリングによって指示を行っている、
ことを特徴とする請求項６５〜７０のいずれか１項に記載の移動局。
【請求項７２】
前記取得ユニットは、第１受信サブユニットを含み、
前記第１受信サブユニットは、
前記移動局が前記第１ネットワークアクセスポイントのネットワークにアクセスする時に、前記第１ネットワークアクセスポイントより送信された前記ハンドオーバーリソース設定情報を受信し、又は、
前記移動局が前記第１ネットワークアクセスポイントのネットワークにアクセスした後に、前記第１ネットワークアクセスポイントより送信された前記ハンドオーバーリソース設定情報を受信し、又は、
前記移動局が間もなく前記第１ネットワークアクセスポイントから前記第２ネットワークアクセスポイントへハンドオーバーする時に、前記第１ネットワークアクセスポイントより送信された前記ハンドオーバーリソース設定情報を受信するように構成される、
ことを特徴とする請求項６５〜７１のいずれか１項に記載の移動局。
【請求項７３】
前記ハンドオーバーリソース設定情報は、前記第１ネットワークアクセスポイントシステム情報ブロードキャストを介して送信されたものであり、又は
前記ハンドオーバーリソース設定情報は、前記第１ネットワークアクセスポイント制御シグナリングを介して送信されたものである、
ことを特徴とする請求項６５〜７２のいずれか１項に記載の移動局。
【請求項７４】
前記通信ユニットは、送信サブユニットを含み、
前記送信サブユニットは、
前記第１ネットワークアクセスポイント及び／又は前記第２ネットワークアクセスポイントが、前記アップリンクデータを受信するために、前記ハンドオーバーリソースを使用してアップリンクデータを送信するように構成される、
ことを特徴とする請求項６５〜７３のいずれか１項に記載の移動局。
【請求項７５】
前記送信サブユニットは、具体的に、
前記アップリンクデータが前記第１ネットワークアクセスポイントと前記第２ネットワークアクセスポイントとに同時に届くために、前記ハンドオーバーリソースを使用して、予め設定されたサイクリックプレフィックス（ＣＰ）値を採用し、前記アップリンクデータを送信するように構成され、
ここで、前記予め設定されたＣＰ値が固定の閾値より大きい、
ことを特徴とする請求項７４に記載の移動局。
【請求項７６】
前記通信ユニットは、第２受信サブユニットを含み、
前記第２受信サブユニットは、
前記ハンドオーバーリソースを使用して、前記第１ネットワークアクセスポイント及び／又は前記第２ネットワークアクセスポイントより送信されたダウンリンクデータを受信するように構成される、
ことを特徴とする請求項６５〜７５のいずれか１項に記載の移動局。
【請求項７７】
前記通信ユニットは、確定サブユニットと取得サブユニットとをさらに含み、
前記第２受信サブユニットは、具体的に、前記第１ネットワークアクセスポイント及び／又は前記第２ネットワークアクセスポイントより送信された複数個の同じのダウンリンクデータパケットを受信するように構成され、
前記確定サブユニットは、前記第２受信サブユニットで受信された前記複数個の同じのダウンリンクデータパケットのうちの一つをダウンリンク受信データパケットとして確定するように構成され、
前記取得サブユニットは、前記確定サブユニットで確定した前記ダウンリンク受信データパケット内の前記ダウンリンクデータを取得するように構成される、
ことを特徴とする請求項７６に記載の移動局。
【請求項７８】
前記移動局は前記第１ネットワークアクセスポイントと同期し、又は前記移動局と前記第１ネットワークアクセスポイントとの間に固定の第２タイミングオフセットを有する、
ことを特徴とする請求項６５〜７７のいずれか１項に記載の移動局。
【請求項７９】
前記ハンドオーバーリソースは、
物理時間周波数リソースブロックの位置情報、変調シンボル化方式情報、基準信号の設定情報、アンテナ設定情報のうちの少なくとも一つを含む、
ことを特徴とする請求項６５〜７８のいずれか１項に記載の移動局。
【請求項８０】
前記受信ユニットは、
前記第１ネットワークアクセスポイントより送信された第２指示情報を受信し、
前記第２指示情報に基づいて、前記第２ネットワークアクセスポイントのアップリンク同期情報を取得するようにさらに構成され、
前記第２指示情報が、前記第１ネットワークアクセスポイントと前記第２ネットワークアクセスポイントとの間の同期情報、前記移動局の速度情報、前記移動局の移動軌跡情報のうちの少なくとも一つを含む、
ことを特徴とする請求項６５〜７９のいずれか１項に記載の移動局。
【発明の詳細な説明】
【技術分野】
【０００１】
本発明は通信分野に関し、特にハンドオーバーのためのリソース設定方法、ネットワークアクセスポイント及び移動局に関する。
【背景技術】
【０００２】
これからのネットワークシステムは、車両とあらゆるデバイスとの通信（Ｖ２Ｘ：Ｖｅｈｉｃｌｅ  ｔｏ  Ｘ）まで応用領域を拡張していくことになり、車両−車両（Ｖ２Ｖ：Ｖｅｈｉｃｌｅ  ｔｏ  Ｖｅｈｉｃｌｅ）通信、車両−道路設備（Ｖ２Ｉ：Ｖｅｈｉｃｌｅ  ｔｏ  Ｉｎｆｒａｓｔｒｕｃｔｕｒｅ）通信、車両−歩行者（Ｖ２Ｐ：Ｖｅｈｉｃｌｅ  ｔｏ  Ｐｅｄｅｓｔｒｉａｎ）通信、歩行者−車両（Ｐ２Ｖ：Ｐｅｄｅｓｔｒｉａｎ  ｔｏ  Ｖｅｈｉｃｌｅ）通信等を含む。
【０００３】
Ｖ２Ｘ通信は、交通通行の効率を有効に向上させ、交通事故を避け、運転のリスクを下げることができ、研究によれば、Ｖ２Ｖ通信によって、米国国内の約８２％の無死傷者の衝突、及び約４０％の交差点の衝突を解決することができる。
【０００４】
ネットワーク側からの情報を有効に受信し、リソースの割り当ての信頼性を保証し、データ伝送の効率を向上させるために、Ｖ２Ｘ通信の過程において車両はずっとネットワークとの接続を保持する必要がある。しかし、幾つかの場面においては、ネットワークがカバレッジされていない時に、通常、車両が予め設定されたリソースによって通信を行い、これによって大量の接続し合う車両の間での順序良くの情報のインタラクションを保証することができず、無線ネットワークのリソースの使用効率が大幅に低減される。そのため、将来のＶ２Ｘ通信は、基本的に車両とネットワークとの通信に依存するため、車両とネットワークとの接続を順調のように保証する必要があり、それによってネットワークが車両に対する順序良くのスケジューリングとリソースの割り当てとを保障することができる。
【０００５】
この過程において、車両が継続的に移動し、幾つかの場面において速度が速いため、如何に、車両が異なるネットワークのアクセスポイントの間で成功にハンドオーバーすることを保証するのは、早急な解決の待たれる肝心な課題である。
【０００６】
従来のセルラーネットワークに、ハンドオーバーを保証するメカニズムが存在するが、現在のハンドオーバーフローに、大きな伝送中断遅延が存在し、しかも高速に移動する移動局におけるチャネルの瞬時変化に関する課題などを有効に克服するすべがない。
【発明の概要】
【発明が解決しようとする課題】
【０００７】
本発明の実施例は、ハンドオーバーのためのリソース設定方法を提供し、ハンドオーバー過程における移動局の正常通信を確保することができない。
【０００８】
第１態様において、ハンドオーバーのためのリソース設定方法を提供し、
第１ネットワークアクセスポイントは、第２ネットワークアクセスポイントとの間のハンドオーバーリソース設定情報を確定することと、
前記第１ネットワークアクセスポイントは、前記ハンドオーバーリソース設定情報を移動局に送信することと、
前記第１ネットワークアクセスポイントは、前記移動局より送信されたハンドオーバー指示情報を受信することと、
を含み、前記ハンドオーバー指示情報が、前記移動局が間もなくハンドオーバーを行うことを示すために用いられる。
【０００９】
本発明の実施例における移動局は、Ｖ２Ｘ内の端末デバイスであっても良く、このように、Ｖ２Ｘ移動局の移動が方向性における予測可能である特徴を利用し、ハンドオーバーリソースの概念を導入することによって、ネットワークアクセスポイントの間でハンドオーバーリソースを予め協調することができ、Ｖ２Ｘ移動局がハンドオーバーしようとする時になってくると、当該ハンドオーバーリソースを用いてハンドオーバーを行うことが可能である。このような方式によって、Ｖ２Ｘ移動局は、ハンドオーバーの前にターゲットセル（即ち、第２ネットワークアクセスポイント）を既に設定し、それによってハンドオーバーの中断時間を短縮させることができる。
【００１０】
第１態様の可能な実施形態において、前記第１ネットワークアクセスポイントは、前記移動局より送信されたハンドオーバー指示情報を受信した後に、前記方法は、前記第１ネットワークアクセスポイントは前記移動局に第１指示情報を送信することを含み、前記第１指示情報が、前記移動局が前記ハンドオーバーリソース設定情報に指示された設定を使用して、前記第１ネットワークアクセスポイント及び／又は前記第２ネットワークアクセスポイントと通信するように指示するために用いられる。
【００１１】
第１態様の可能な実施形態において、前記方法は、
前記第１ネットワークアクセスポイントは、前記移動局より送信された前記第２ネットワークアクセスポイントの識別情報を受信することと、
前記第１ネットワークアクセスポイントは、前記ハンドオーバー指示情報と前記識別情報とに基づいて、前記移動局が間もなく前記第２ネットワークアクセスポイントへハンドオーバーすることを確定することと、
をさらに含む。
【００１２】
当該技術案において、当該移動局は、実際状況に基づいて、ターゲットネットワークアクセスポイントを確定し、識別情報とハンドオーバー指示情報とによって、第１ネットワークアクセスポイントに移動局のターゲットネットワークアクセスポイント（即ち、第２ネットワークアクセスポイント）を告知することができ、端末デバイスが、自身が必要に応じて随時にハンドオーバーを行い、当該技術案は、柔軟性が良く、ハンドオーバーする端末の時間をさらに低減することができる。
【００１３】
第１態様の可能な実施形態において、前記第１ネットワークアクセスポイントは前記移動局に第１指示情報を送信することは、前記移動局が間もなく前記第１ネットワークアクセスポイントから前記第２ネットワークアクセスポイントへハンドオーバーすることを確定した場合、前記移動局へ前記第１指示情報を送信することを含む。
【００１４】
当該技術案において、移動局は、ハンドオーバー指示情報によって、自分の要求を第１ネットワークアクセスポイントに告知することができ、それによって第１ネットワークアクセスポイントが移動局に第１指示情報を送信することができ、移動局が当該第１指示情報に基づいて通信することができる。当該技術案は、柔軟性が良く、兼容性も良く、第１ネットワークアクセスポイントが、移動局のために適切のターゲットネットワークアクセスポイントを確定するのに有利である。
【００１５】
第１態様の可能な実施形態において、前記移動局に第１指示情報を送信する前に、
前記移動局の移動軌跡に基づいて、前記移動局が間もなく前記第１ネットワークアクセスポイントから前記第２ネットワークアクセスポイントへハンドオーバーすることを確定することと、
前記移動局のフィードバックされた測定信号の強度に基づいて、前記移動局が間もなく前記第１ネットワークアクセスポイントから前記第２ネットワークアクセスポイントへハンドオーバーすることを確定することと、
前記移動局の移動軌跡と移動速度に基づいて、前記移動局が間もなく前記第１ネットワークアクセスポイントから前記第２ネットワークアクセスポイントへハンドオーバーすることを確定することと、
を含む。
【００１６】
第１態様の可能な実施形態において、前記第１指示情報は、物理層の制御シグナリングのリザーブ情報ビットによって指示を行っており、又は、前記第１指示情報は、割り当てた新たな無線ネットワーク一時識別子（ＲＮＴＩ）によって指示を行っており、又は、前記第１指示情報は、新しい物理層の制御シグナリングのフォーマットによって指示を行っている。
【００１７】
第１態様の可能な実施形態において、前記ハンドオーバー指示情報は、物理層の制御シグナリングのリザーブ情報ビットによって指示を行っており、又は前記ハンドオーバー指示情報は、メディアアクセス制御（ＭＡＣ）層のシグナリングによって指示を行っており、又は前記ハンドオーバー指示情報は、無線リソース制御（ＲＲＣ）シグナリングによって指示を行っている。
【００１８】
第１態様の可能な実施形態において、前記第１ネットワークアクセスポイントが、第２ネットワークアクセスポイントとの間のハンドオーバーリソース設定情報を確定することは、前記第１ネットワークアクセスポイントは、前記第１ネットワークアクセスポイントと前記第２ネットワークアクセスポイントとの間の通信インターフェースを介して、前記第２ネットワークアクセスポイントと協調を行い、前記ハンドオーバーリソース設定情報を確定する。
【００１９】
第１態様の可能な実施形態において、前記ハンドオーバーリソース設定情報は、物理時間周波数リソースブロックの位置情報、変調シンボル化方式情報、基準信号の設定情報、アンテナ設定情報のうちの少なくとも一つを含む。
【００２０】
第１態様の可能な実施形態において、前記第１ネットワークアクセスポイントは、前記ハンドオーバーリソース設定情報を移動局に送信することは、前記移動局が前記第１ネットワークアクセスポイントのネットワークにアクセスする場合、前記ハンドオーバーリソース設定情報を前記移動局に送信すること、又は、
前記移動局が前記第１ネットワークアクセスポイントのネットワークにアクセスした後に、前記ハンドオーバーリソース設定情報を前記移動局に送信すること、又は、
前記移動局が間もなく前記第１ネットワークアクセスポイントから前記第２ネットワークアクセスポイントへハンドオーバーすることを確定した場合、前記ハンドオーバーリソース設定情報を前記移動局に送信すること、
を含む。
【００２１】
第１態様の可能な実施形態において、前記ハンドオーバーリソース設定情報を前記移動局に送信することは、システム情報ブロードキャストを介して、前記ハンドオーバーリソース設定情報を前記移動局に送信すること、又は、制御シグナリングを介して、前記ハンドオーバーリソース設定情報を前記移動局に送信することを含む。
【００２２】
第１態様の可能な実施形態において、前記方法は、前記移動局が前記ハンドオーバーリソースを用いて送信されたアップリンクデータを受信することをさらに含む。
【００２３】
第１態様の可能な実施形態において、前記移動局が前記ハンドオーバーリソースを用いて送信されたアップリンクデータを受信することは、前記第１ネットワークアクセスポイントは、少なくとも一つのその他のネットワークアクセスポイントと協調を行い、前記移動局が前記ハンドオーバーリソースを用いて送信された前記アップリンクデータを受信することを含む。
【００２４】
第１態様の可能な実施形態において、前記第１ネットワークアクセスポイントと前記少なくとも一つのその他のネットワークアクセスポイントとは、全く同じ又は完全に異なる物理リソース設定情報を使用して、前記移動局が前記ハンドオーバーリソースを用いて送信された前記アップリンクデータを受信する。
【００２５】
第１態様の可能な実施形態において、前記少なくとも一つのその他のネットワークアクセスポイントは、前記第２ネットワークアクセスポイントを含む。
【００２６】
第１態様の可能な実施形態において、前記移動局が前記ハンドオーバーリソースを用いて送信されたアップリンクデータを受信することは、
前記移動局より送信された複数個の同じのアップリンクデータパケットを受信し、そのうちの一つのアップリンクデータパケットをアップリンク受信データパケットとして確定し、当該アップリンク受信データパケット内の前記アップリンクデータを取得することを含む。
【００２７】
第１態様の可能な実施形態において、前記方法は、前記第１ネットワークアクセスポイントは、前記移動局にダウンリンクデータを送信することをさらに含む。
【００２８】
第１態様の可能な実施形態において、前記移動局にダウンリンクデータを送信することは、前記第１ネットワークアクセスポイントは、少なくとも一つのその他のネットワークアクセスポイントと協調を行い、前記移動局に前記ダウンリンクデータを送信することを含む。
【００２９】
第１態様の可能な実施形態において、前記第１ネットワークアクセスポイントと前記少なくとも一つのその他のネットワークアクセスポイントとは、全く同じ又は完全に異なる物理リソース設定情報を使用して、前記移動局に前記ダウンリンクデータを送信する。
【００３０】
第１態様の可能な実施形態において、前記少なくとも一つのその他のネットワークアクセスポイントは、前記第２ネットワークアクセスポイントを含む。
【００３１】
第１態様の可能な実施形態において、前記移動局にダウンリンクデータを送信することは、前記移動局が、そのうちの一つのダウンリンクデータパケットをダウンリンク受信データパケットとして確定し、当該ダウンリンク受信データパケット内の前記ダウンリンクデータを取得するために、前記移動局に複数個の同じのダウンリンクデータパケットを送信することを含む。
【００３２】
第１態様の可能な実施形態において、前記第１ネットワークアクセスポイントは、前記第２ネットワークアクセスポイントと同期し、又は、前記第１ネットワークアクセスポイントと前記第２ネットワークアクセスポイントとの間に固定の第１タイミングオフセットを有する。
【００３３】
第１態様の可能な実施形態において、前記第１ネットワークアクセスポイントは前記移動局と同期し、又は、前記第１ネットワークアクセスポイントと前記移動局との間に固定の第２タイミングオフセットを有する。
【００３４】
第１態様の可能な実施形態において、前記方法は、前記第１ネットワークアクセスポイントは前記移動局に第２指示情報を送信することをさらに含み、ここで、前記第２指示情報は、前記第１ネットワークアクセスポイントと前記第２ネットワークアクセスポイントとの間の同期情報、前記移動局の速度情報、前記移動局の移動軌跡情報のうちの少なくとも一つを含む。
【００３５】
第２態様において、ハンドオーバーのためのリソース設定方法を提供し、
移動局は、第１ネットワークアクセスポイントより送信されたハンドオーバーリソース設定情報を取得することと、
前記移動局は、前記第１ネットワークアクセスポイントにハンドオーバー指示情報を送信することと、
前記移動局が前記ハンドオーバーリソース設定情報に指示された設定を使用して、前記第１ネットワークアクセスポイント及び／又は第２ネットワークアクセスポイントと通信を行うことと、
を含み、前記ハンドオーバー指示情報が、前記移動局が間もなくハンドオーバーを行うことを示すために用いられる。
【００３６】
第２態様の可能な実施形態において、前記方法は、前記移動局は、前記第１ネットワークアクセスポイントが前記ハンドオーバー指示情報に基づいて送信された第１指示情報を受信することをさらに含み、前記第１指示情報が、前記移動局が前記ハンドオーバーリソース設定情報に指示された設定を使用するように指示するために用いられ、前記移動局が前記ハンドオーバーリソース設定情報に指示された設定を使用して、前記第１ネットワークアクセスポイント及び／又は前記第２ネットワークアクセスポイントと通信することは、前記移動局は、前記第１指示情報基づいて、前記ハンドオーバーリソース設定情報に指示された設定を使用して、前記第１ネットワークアクセスポイント及び／又は第２ネットワークアクセスポイントと通信を行うことを含む。
【００３７】
第２態様の可能な実施形態において、前記方法は、前記第１ネットワークアクセスポイントが識別情報と前記ハンドオーバー指示情報とに基づいて、前記移動局が間もなく前記第２ネットワークアクセスポイントへハンドオーバーすることを確定するために、前記移動局は、前記第１ネットワークアクセスポイントに第２ネットワークアクセスポイントの識別情報を送信することをさらに含む。
【００３８】
第２態様の可能な実施形態において、前記移動局は、前記第１ネットワークアクセスポイントにハンドオーバー指示情報を送信することは、前記移動局が前記移動局が間もなくハンドオーバーを行うことを確定した場合、前記移動局に前記ハンドオーバー指示情報を送信することを含む。
【００３９】
第２態様の可能な実施形態において、前記方法は、前記移動局は前記移動局の移動軌跡に基づいて間もなくハンドオーバーをするか否かを確定すること、又は、前記移動局は、前記第１ネットワークアクセスポイントの信号を受信する強度ことによって、間もなくハンドオーバーをするか否かを確定すること、又は、前記移動局前記移動局の移動軌跡と移動速度に基づいて、間もなくハンドオーバーをするか否かを確定することをさらに含む。
【００４０】
第２態様の可能な実施形態において、前記第１指示情報は、物理層の制御シグナリングのリザーブ情報ビットによって指示を行っており、又は、前記第１指示情報は、割り当てた新たな無線ネットワーク一時識別子（ＲＮＴＩ）によって指示を行っており、又は、前記第１指示情報は、新しい物理層の制御シグナリングのフォーマットによって指示を行っている。
【００４１】
第２態様の可能な実施形態において、前記ハンドオーバー指示情報は、物理層の制御シグナリングのリザーブ情報ビットによって指示を行っており、又は前記ハンドオーバー指示情報は、メディアアクセス制御（ＭＡＣ）層のシグナリングによって指示を行っており、又は前記ハンドオーバー指示情報は、無線リソース制御（ＲＲＣ）シグナリングによって指示を行っている。
【００４２】
第２態様の可能な実施形態において、前記移動局は、第１ネットワークアクセスポイントより送信されたハンドオーバーリソース設定情報を取得することは、
前記移動局が前記第１ネットワークアクセスポイントのネットワークにアクセスする時に、前記第１ネットワークアクセスポイントより送信された前記ハンドオーバーリソース設定情報を受信すること、又は、
前記移動局が前記第１ネットワークアクセスポイントのネットワークにアクセスした後に、前記第１ネットワークアクセスポイントより送信された前記ハンドオーバーリソース設定情報を受信すること、又は、
前記移動局が間もなく前記第１ネットワークアクセスポイントから前記第２ネットワークアクセスポイントへハンドオーバーする時に、前記第１ネットワークアクセスポイントより送信された前記ハンドオーバーリソース設定情報を受信すること、
を含む。
【００４３】
第２態様の可能な実施形態において、前記ハンドオーバーリソース設定情報は、前記第１ネットワークアクセスポイントシステム情報ブロードキャストを介して送信されたものであり、又は、前記ハンドオーバーリソース設定情報は、前記第１ネットワークアクセスポイント制御シグナリングを介して送信されたものである。
【００４４】
第２態様の可能な実施形態において、前記第１ネットワークアクセスポイント及び／又は前記第２ネットワークアクセスポイントと通信することは、前記第１ネットワークアクセスポイント及び／又は前記第２ネットワークアクセスポイントが、前記アップリンクデータを受信するために、前記移動局は前記ハンドオーバーリソースを用いてアップリンクデータを送信することを含む。
【００４５】
第２態様の可能な実施形態において、前記移動局は前記ハンドオーバーリソースを用いてアップリンクデータを送信することは、前記アップリンクデータが前記第１ネットワークアクセスポイントと前記第２ネットワークアクセスポイントとに同時に届くために、前記移動局は、前記ハンドオーバーリソースを用いて、予め設定されたサイクリックプレフィックス（ＣＰ）値を採用し、前記アップリンクデータを送信することを含み、ここで、前記予め設定されたＣＰ値が固定の閾値より大きい。
【００４６】
第２態様の可能な実施形態において、前記第１ネットワークアクセスポイント及び／又は前記第２ネットワークアクセスポイントと通信することは、前記移動局は、前記ハンドオーバーリソースを用いて、前記第１ネットワークアクセスポイント及び／又は前記第２ネットワークアクセスポイントより送信されたダウンリンクデータを受信することを含む。
【００４７】
第２態様の可能な実施形態において、前記移動局は、前記ハンドオーバーリソースを用いて、前記第１ネットワークアクセスポイント及び／又は前記第２ネットワークアクセスポイントより送信されたダウンリンクデータを受信することは、
前記移動局は、前記第１ネットワークアクセスポイント及び／又は前記第２ネットワークアクセスポイントより送信された複数個の同じのダウンリンクデータパケットを受信することと、
前記複数個の同じのダウンリンクデータパケットのうちの一つをダウンリンク受信データパケットとして確定することと、
前記ダウンリンク受信データパケット内の前記ダウンリンクデータを取得することと、
を含む。
【００４８】
第２態様の可能な実施形態において、前記移動局は前記第１ネットワークアクセスポイントと同期し、又は、前記移動局と前記第１ネットワークアクセスポイントとの間に固定の第２タイミングオフセットを有する。
【００４９】
第２態様の可能な実施形態において、前記ハンドオーバーリソースは、物理時間周波数リソースブロックの位置情報、変調符号化設定情報、基準信号の設定情報、アンテナ設定情報のうちの少なくとも一つを含む。
【００５０】
第２態様の可能な実施形態において、前記方法は、前記移動局は、前記第１ネットワークアクセスポイントより送信された第２指示情報を受信することと、
前記移動局は前記第２指示情報に基づいて、前記第２ネットワークアクセスポイントのアップリンク同期情報を取得することと、
をさらに含み、前記第２指示情報は、前記第１ネットワークアクセスポイントと前記第２ネットワークアクセスポイントとの間の同期情報、前記移動局の速度情報、前記移動局の移動軌跡情報のうちの少なくとも一つを含む。
【００５１】
第３態様において、ネットワークアクセスポイントを提供し、前記ネットワークアクセスポイントが第１ネットワークアクセスポイントであり、
第２ネットワークアクセスポイントとの間のハンドオーバーリソース設定情報を確定するように構成される確定ユニットと、
前記確定ユニットで確定された前記ハンドオーバーリソース設定情報を移動局に送信するように構成される送信ユニットと、
前記移動局より送信されたハンドオーバー指示情報を受信するように構成される受信ユニットと、
を含み、前記ハンドオーバー指示情報が、前記移動局が間もなくハンドオーバーを行うことを示すために用いられる。
【００５２】
当該ネットワークアクセスポイントは、上記の第１態様又は第１態様のいずれか一つの可能な実施形態における第１ットワークアクセスポイントにより実施する各過程を実施するように用いられることが可能である。
【００５３】
第４態様において、ネットワークアクセスポイントを提供し、トランスミッター、レシーバー、プロセッサ、及び記憶装置を含む。当該ネットワークアクセスポイントは、上記の第１態様、及びそれの実施形態の方法における第１ネットワークアクセスポイントにより実施する各過程を実施するために用いられることが可能である。
【００５４】
第５態様において、コンピュータで読み取り可能な記憶媒体を提供し、前記コンピュータで読み取り可能な記憶媒体にプログラムが記憶されており、前記プログラムは、ネットワークアクセスポイントが上記の第１態様、及びそれの各実施形態のいずれか一つのハンドオーバーのためのリソース設定方法を実行するために用いられる。
【００５５】
第６態様において、移動局を提供し、
第１ネットワークアクセスポイントより送信されたハンドオーバーリソース設定情報を取得するように構成される取得ユニットと、
前記第１ネットワークアクセスポイントにハンドオーバー指示情報を送信するように構成される送信ユニットと、
前記ハンドオーバーリソース設定情報に指示された設定を用いて、前記第１ネットワークアクセスポイント及び／又は第２ネットワークアクセスポイントと通信を行うように構成される通信ユニットと、
を含み、前記ハンドオーバー指示情報が、前記移動局が間もなくハンドオーバーを行うことを示すために用いられる。
【００５６】
当該移動局は、上記の第２態様又は第２態様のいずれか一つの可能な実施形態における移動局により実施する各過程を実施するために用いられることが可能である。
【００５７】
第７態様において、移動局を提供し、トランスミッター、レシーバー、プロセッサ、及び記憶装置を含む。当該移動局は、上記の第２態様又は第２態様のいずれか一つの可能な実施形態における移動局により実行する各過程を実施するために用いられることが可能である。
【００５８】
第８態様において、コンピュータで読み取り可能な記憶媒体を提供し、前記コンピュータで読み取り可能な記憶媒体にプログラムが記憶されており、前記プログラムは、移動局が、上記の第２態様及びそれの各実施形態のいずれか一つのハンドオーバーのためのリソース設定方法を実行するために用いられる。
【００５９】
選択肢として、前記ハンドオーバーリソース設定情報は、物理時間周波数リソースブロックの位置情報、変調シンボル化方式情報、基準信号の設定情報、アンテナ設定情報のうちの少なくとも一つを含む。
【００６０】
選択肢として、前記第１指示情報は、物理層の制御シグナリングのリザーブ情報ビットによって指示を行っており、又は、前記第１指示情報は、割り当てた新たな無線ネットワーク一時識別子（ＲＮＴＩ）によって指示を行っており、又は、前記第１指示情報は、新しい物理層の制御シグナリングのフォーマットによって指示を行っている。
【００６１】
選択肢として、制御シグナリング又は物理層の制御シグナリングはＰＤＣＣＨであっても良い。
【００６２】
選択肢として、前記第１ネットワークアクセスポイントは、前記第２ネットワークアクセスポイントと同期し、又は、前記第１ネットワークアクセスポイントと前記第２ネットワークアクセスポイントとの間に固定の第１タイミングオフセットを有する。
【００６３】
選択肢として、前記第１ネットワークアクセスポイントは前記移動局と同期し、又は、前記第１ネットワークアクセスポイントと前記移動局との間に固定の第２タイミングオフセットを有する。
【図面の簡単な説明】
【００６４】
【図１】本発明の実施例による移動局のハンドオーバー過程の概略図である。
【図２】本発明の実施例によるハンドオーバーのためのリソース設定方法の一例の概略のフローチャートである。
【図３】本発明の実施例によるハンドオーバーのためのリソース設定方法の別の一例の概略のフローチャートである。
【図４】本発明の実施例によるハンドオーバーのためのリソース設定方法のもう一つの一例の概略のフローチャートである。
【図５】本発明の実施例によるネットワークアクセスポイントの一例の概略のブロック図である。
【図６】本発明の実施例によるネットワークアクセスポイントの別の一例の概略のブロック図である。
【図７】本発明の実施例による移動局の一例の概略のブロック図である。
【図８】本発明の実施例による移動局の別の一例の概略のブロック図である。
【発明を実施するための形態】
【００６５】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００６６】
本発明の実施例において、移動局を結合して各実施例を説明している。移動局は、ユーザ装置（ＵＥ：Ｕｓｅｒ  Ｅｑｕｉｐｍｅｎｔ）、端末デバイス、アクセス端末、ユーザユニット、ユーザステーション、移動ステーション、遠隔局、遠隔端末、移動デバイス、ユーザ端末、端末、無線通信デバイス、ユーザエージェント又はユーザ装置なども称することが可能である。移動局は、無線ローカルネットワーク（ＷＬＡＮ：Ｗｉｒｅｌｅｓｓ  Ｌｏｃａｌ  Ａｒｅａ  Ｎｅｔｗｏｒｋｓ）内のステーション（ＳＴＡＩＯＮ）であっても良く、セルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける移動局又は将来進化型ＰＬＭＮネットワークにおける移動局などであっても良い。例を上げて説明すると、本発明の実施例における移動局は、車両に装着される車載ユニット（ＯＢＵ：Ｏｎ  ｂｏａｒｄ  Ｕｎｉｔ）であっても良い。
【００６７】
また、本発明の実施例はネットワークデバイスを結合して各実施例を説明している。ネットワークデバイスは、移動局と通信を行うためのデバイスであっても良く、ネットワークデバイスは、無線ローカルネットワーク（ＷＬＡＮ：Ｗｉｒｅｌｅｓｓ  Ｌｏｃａｌ  Ａｒｅａ  Ｎｅｔｗｏｒｋｓ）におけるアクセスポイント（ＡＰ：ＡＣＣＥＳＳ  ＰＯＩＮＴ）、ＧＳＭ又はシンボル分割多元接続（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）であっても良く、ＷＣＤＭＡにおけるノードＢ（ＮｏｄｅＢ、ＮＢ）であっても良く、さらにロング・ターム・エボリューション（ＬＴＥ：Ｌｏｎｇ  Ｔｅｒｍ  Ｅｖｏｌｕｔｉｏｎ）における進化型基地局（ｅＮＢ又はｅＮｏｄｅＢ：Ｅｖｏｌｕｔｉｏｎａｌ  Ｎｏｄｅ  Ｂ）、又は中継局又はアクセスポイント、又は車載デバイス、ウェアラブルデバイス、および将来の５Ｇネットワークにおけるネットワークデバイス、又は将来の進化型ＰＬＭＮネットワークにおけるネットワークデバイスなどであっても良い。
【００６８】
また、本発明の各々の態様又は特徴は、方法、装置又は標準化プログラミング、及び／又は、工程技術の製品として実現されても良い。本発明に使用されている用語「製品」は、任意のコンピュータでの読み取り可能な機器、キャリア、又は媒体からアクセスするコンピュータプログラムを含む。例えば、コンピュータで読み取り可能な媒体は、磁気記憶装置（例えば、ハードディスク、フロッピー又は磁気テープなど）、光ディスク（例えば、圧縮ディスク（ＣＤ：Ｃｏｍｐａｃｔ  Ｄｉｓｋ）、デジタル汎用ディスク（ＤＶＤ：Ｄｉｇｉｔａｌ  Ｖｅｒｓａｔｉｌｅ  Ｄｉｓｋ）など）、スマートカードとフラッシュメモリー（例えば、消去可能、プログラム可能な読み取り専用な記憶装置（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、メモリ・スティック又はキー・ドライブなど）を含むが、それらに限らない。また、本文に記述する各種の記憶媒体は、情報を記憶する一つの又は複数のデバイス、及び／又は、その他の機器での読み取り可能な媒体に代表的に用いられる。用語「機器での読み取り可能な媒体」は、無線チャネルと、命令、及び／又は、データを記憶、包含、及び／又は、ベアラする各種のその他の媒体とを含むが、それらに限らない。
【００６９】
図１は本発明の実施例による移動局のハンドオーバー過程の概略図である。図１に示すように、第１ネットワークアクセスポイント１００、第２ネットワークアクセスポイント２００、及び移動局３００を含む。
【００７０】
ここで、第１ネットワークアクセスポイント１００は第２ネットワークアクセスポイント２００とセルラーリンクで通信を行うことができ、例えば、第１ネットワークアクセスポイント１００と第２ネットワークアクセスポイント２００との間の通信インターフェースによって通信を行い、ここでの通信インターフェースはＸ２インターフェースであっても良い。
【００７１】
移動局３００が高速の移動状態にある可能性があり、例えば、移動局３００は、最初、第１ネットワークアクセスポイント１００のネットワークカバレッジ範囲内にあり、第１ネットワークアクセスポイント１００と直接に通信を行うことが可能である。その後、移動局３００の高速移動により、次第に第２ネットワークアクセスポイント２００のネットワークカバレッジ範囲に入る。当該過程において、移動局３００は、対応する伝送リソースを切り替えする必要があり、このように比較的に大きいな伝送遅延を引き起こす可能性がある。
【００７２】
本発明の実施例では、移動局の移動が予測可能である特徴を利用し、ネットワークアクセスポイントの間でハンドオーバーリソースを予め協調し、それにより、移動局がハンドオーバーの過程において当該ハンドオーバーリソースを使用し、それによってハンドオーバーの中断時間を短縮させることができる。
【００７３】
なお、本発明の実施例におけるケースと方式などの切り分けは記述の便利上によるものであり、特別の限定としているわけではなく、各ケースと方式の特徴は、矛盾ではなければ結合しても良い。
【００７４】
図２は本発明の実施例によるハンドオーバーのためのリソース設定方法の一例の概略のフローチャートである。図２に示されている方法は第１ネットワークアクセスポイントによって実施され、Ｓ１１０〜Ｓ１３０を含む。
【００７５】
Ｓ１１０において、第１ネットワークアクセスポイントは、第２ネットワークアクセスポイントとの間のハンドオーバーリソース設定情報を確定する。
【００７６】
ここで、ハンドオーバーリソース設定情報は、物理時間周波数リソースブロックの位置情報、変調符号化設定情報、基準信号の設定情報、アンテナ設定情報のうちの少なくとも一つを含むことが可能性がある。
【００７７】
ハンドオーバーリソース設定情報は、時間周波数リソース設定情報、伝送帯域幅等なども含むことが可能であり、ここで、一つずつ列挙しない。
【００７８】
選択肢として、当該ハンドオーバーリソース設定情報は、サービスネットワークアクセスポイントが第１ネットワークアクセスポイントから第２ネットワークアクセスポイントにハンドオーバーするのに使用されるハンドオーバーリソースの設定情報を含み、及び／又は、当該ハンドオーバーリソース設定情報は、サービスネットワークアクセスポイントが第１ネットワークアクセスポイントから、第１ネットワークアクセスポイントと第２ネットワークアクセスポイントとにハンドオーバーするのに使用されるハンドオーバーリソースの設定情報を含み、及び／又は、当該ハンドオーバーリソース設定情報は、第１ネットワークアクセスポイントのハンドオーバーリソースの設定情報を含む。
【００７９】
なお、第１ネットワークアクセスポイントの周囲に、少なくとも一つのその他のネットワークアクセスポイントを配置し、第１ネットワークアクセスポイントは、少なくとも一つのその他のネットワークアクセスポイントと、通信インターフェース（例えばＸ２インターフェース）を介して通信を行うことができる。
【００８０】
第１のケースとして、第１ネットワークアクセスポイントの周囲に、一つだけのその他のネットワークアクセスポイント、即ち、第２ネットワークアクセスポイントが存在する場合、Ｓ１１０において、第１ネットワークアクセスポイントは、第２ネットワークアクセスポイントとの間のハンドオーバーリソース設定情報を確定するだけが必要である。
【００８１】
選択肢として、前記ハンドオーバーリソース設定情報を確定するために、第１ネットワークアクセスポイントは、通信インターフェースを介して、前記第２ネットワークアクセスポイントと協調を行うことができる。
【００８２】
ここで、第１ネットワークアクセスポイントは第２ネットワークアクセスポイントと同期し、又は、第１ネットワークアクセスポイントと第２ネットワークアクセスポイントとの間に固定の第１タイミングオフセット（ｏｆｆｓｅｔ）値を有する。
【００８３】
第１ネットワークアクセスポイントは、第２ネットワークアクセスポイントとリソースの協調を行うことができ、ネゴシエーションの方式でハンドオーバーリソースプールを確定する。例えば、第１ハンドオーバーリソースプールと第２ハンドオーバーリソースプールとを確定することができる。ここで、第１ハンドオーバーリソースプールは第１ネットワークアクセスポイントによって、後から移動局に送信することが可能であり、それによって、移動局が第１ネットワークアクセスポイントから第２ネットワークアクセスポイントにハンドオーバーする過程において、第１ハンドオーバーリソースプール内のハンドオーバーリソースを使用することができる。ここで、第２ハンドオーバーリソースプールは、第２ネットワークアクセスポイントによって後から移動局に送信することが可能であり、それによって、移動局が第２ネットワークアクセスポイントから第１ネットワークアクセスポイントにハンドオーバーする過程において、第２ハンドオーバーリソースプール内のハンドオーバーリソースを使用することができる。
【００８４】
このように、第１ネットワークアクセスポイントから第２ネットワークアクセスポイントにハンドオーバーする移動局に使用されるハンドオーバーリソースは、第２ネットワークアクセスポイントから第１ネットワークアクセスポイントにハンドオーバーする移動局に使用されるハンドオーバーリソースと、可能な限り異なるようにし、ハンドオーバー過程における異なる移動局間のリソース衝突を避けることが可能であり、リソースの競合を減少し、さらにハンドオーバー過程における移動局のデータ伝送の効率を保証することできる。
【００８５】
第２のケースとして、第１ネットワークアクセスポイントの周囲に二つ（即ち少なくとも二つ）のその他のネットワークアクセスポイント（第２ネットワークアクセスポイントが含まれる）が存在する場合、Ｓ１１０において、第１ネットワークアクセスポイントは、複数個のネットワークアクセスポイントとの間のハンドオーバーリソース設定情報を確定することができる。ここで、複数個のネットワークアクセスポイントは第２ネットワークアクセスポイントを含む。
【００８６】
選択肢として、対応するハンドオーバーリソース設定情報を確定するために、第１ネットワークアクセスポイントは、相互間の通信インターフェースを介して、複数個のネットワークアクセスポイントと協調を行うことが可能である。
【００８７】
一つの実施例をとして、第１ネットワークアクセスポイントは、複数個のネットワークアクセスポイントの共通のハンドオーバーリソース設定情報を確定することができる。この時、第１ネットワークアクセスポイントは、１セットのハンドオーバーリソース設定情報を確定する。
【００８８】
別の一つの実施例として、第１ネットワークアクセスポイントは、各ネットワークアクセスポイントとの間のハンドオーバーリソース設定情報をそれぞれ確定することが可能である。この時、第１ネットワークアクセスポイントは、複数個のネットワークアクセスポイントと１対１に対応する複数セットのハンドオーバーリソース設定情報を確定する。
【００８９】
Ｓ１２０において、第１ネットワークアクセスポイントは、前記ハンドオーバーリソース設定情報を移動局に送信する。
【００９０】
本発明の実施例において、第１ネットワークアクセスポイントは、システム情報ブロードキャストを介して、ハンドオーバーリソース設定情報を移動局に送信することが可能である。又は、第１ネットワークアクセスポイントは、制御シグナリングを介して、ハンドオーバーリソース設定情報を移動局に送信することが可能である。
【００９１】
ここで、制御シグナリングは、物理層の制御シグナリング、例えば、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）であっても良い。
【００９２】
ここで、第１ネットワークアクセスポイントは移動局と同期し、又は、第１ネットワークアクセスポイントと移動局との間に固定の第２タイミングオフセットを有する。
【００９３】
選択肢として、一つの実施例として、移動局が第１ネットワークアクセスポイントのネットワークにアクセスする時に、ハンドオーバーリソース設定情報を移動局に送信することができる。例えば、移動局は、第１ネットワークアクセスポイントとのランダムアクセスの過程において、ハンドオーバーリソース設定情報を移動局に送信することができる。
【００９４】
選択肢として、もう一つの実施例として、移動局が第１ネットワークアクセスポイントのネットワークにアクセスした後に、ハンドオーバーリソース設定情報を移動局に送信することができる。例えば、移動局が第１ネットワークアクセスポイントとのランダムアクセスの過程が完成した後に、ハンドオーバーリソース設定情報を移動局に送信することができる。
【００９５】
選択肢として、もう一つの実施例として、移動局が間もなく第１ネットワークアクセスポイントから第２ネットワークアクセスポイントにハンドオーバーする時に、ハンドオーバーリソース設定情報を移動局に送信することができる。
【００９６】
それに応じて、なお、Ｓ１２０の前に、第１ネットワークアクセスポイントは移動局が間もなくハンドオーバーするか否かを判断することができ、例えば、移動局が間もなく第１ネットワークアクセスポイントから第２ネットワークアクセスポイントにハンドオーバーするか否かを判断する。
【００９７】
例を上げて説明すると、移動局よりフィードバックされた測定信号の強度によって移動局が間もなくハンドオーバーするか否かを判断することができる。又は、移動局の移動軌跡に基づいて移動局が間もなくハンドオーバーするか否かを判断することができえる。又は、移動局の移動軌跡と移動速度とに基づいて移動局が間もなくハンドオーバーするか否かを判断することができる。
【００９８】
なお、Ｓ１１０において複数個のネットワークアクセスポイントに１対１の複数セットのハンドオーバーリソース設定情報を確定した場合、Ｓ１２０において、第１ネットワークアクセスポイントは、移動局へのハンドオーバーリソース設定情報を送信する際に、対応するネットワークアクセスポイントの識別情報を含む必要がある。
【００９９】
選択肢として、第１ネットワークアクセスポイントは、移動局に第２指示情報を送信しても良く、当該第２指示情報は、第１ネットワークアクセスポイントと第２ネットワークアクセスポイントとの同期情報、前記移動局の速度情報、前記移動局の移動軌跡情報のうちの少なくとも一つを含む。ここでの同期情報は、アップリンク同期情報とダウンリンク同期情報を含む。このように、移動局は、アップリンク同期情報、ダウンリンク同期情報、速度情報、移動軌跡情報などを取得した後に、第２ネットワークアクセスポイントのアップリンク同期情報をさらに確定することができる。
【０１００】
ここで、第１ネットワークアクセスポイントと第２ネットワークアクセスポイントとの同期情報は、第１タイミングオフセットを含むことが可能である。このように、移動局は、当該同期情報内の第１タイミングオフセットと、移動局と第１ネットワークアクセスポイントとの同期関係とに基づいて、第２ネットワークアクセスポイントの同期情報を取得することができる。
【０１０１】
Ｓ１３０において、前記第１ネットワークアクセスポイントは、前記移動局から第１ネットワークアクセスポイントへ送信されたハンドオーバー指示情報を受信する。
【０１０２】
ここで、前記ハンドオーバー指示情報が、前記移動局が間もなくハンドオーバーを行うことを示すために用いられる。選択肢として、前記ハンドオーバー指示情報は、物理層の制御シグナリングのリザーブ情報ビットによって指示を行っており、又は前記ハンドオーバー指示情報は、メディアアクセス制御（ＭＡＣ）層のシグナリングによって指示を行っており、又は前記ハンドオーバー指示情報は、無線リソース制御（ＲＲＣ）シグナリングによって指示を行っている。
【０１０３】
なお、本発明の実施例において、当該ハンドオーバー指示情報は、移動局が間もなくハンドオーバーを行うことを示すために用いられることは、下記のケースを含むことが可能である。
【０１０４】
１、移動局間もなくネットワークアクセスポイントのハンドオーバーを実施する。
【０１０５】
なお、本発明の実施例において、当該ケース１は少なくとも下記の二つを含むことが可能である。
【０１０６】
１ａ、移動局が現在のネットワークアクセスポイントから、その他のネットワークアクセスポイントへハンドオーバーし、しかも現在のネットワークアクセスポイントとの通信を切断する必要があり、
例えば、移動局は、現在、第１ネットワークアクセスポイントと通信しており、当該ハンドオーバー指示情報は、当該移動局が間もなくその他のネットワークアクセスポイントに通信を行うことを示すために用いられる。
【０１０７】
１ｂ、移動局が現在のネットワークアクセスポイントから、現在のネットワークアクセスポイントとその他のネットワークアクセスポイントにハンドオーバーする必要がある。
【０１０８】
例えば、移動局が、現在、第１ネットワークアクセスポイントと通信を行っており、当該ハンドオーバー指示情報は、当該移動局が間もなく第１ネットワークアクセスポイントとその他のネットワークアクセスポイントに通信を行うことを示すために用いられる。
【０１０９】
２、移動局は、間もなくネットワークアクセスポイントリソースの切り替えを実施する。
【０１１０】
例えば、仮に、移動局が現在第１ネットワークアクセスポイントの第１リソースを使用している場合、当該ハンドオーバー指示情報は、当該移動局が間もなく第１ネットワークアクセスポイントのその他のリソースを使用することを示すために用いられる。
【０１１１】
本発明の実施例において、移動局の移動が方向性の予測可能という特徴を利用し、ハンドオーバーリソース設定情報の概念を導入することによって、ネットワークアクセスポイントの間でハンドオーバーリソースを予め協調し、移動局がハンドオーバーする必要がある場合になると、当該ハンドオーバーリソースリソース設定情報を用いてハンドオーバーすることができ、それによってハンドオーバーの中断時間を短縮することができる。さらに、移動局は、ハンドオーバー指示情報によって第１ネットワークアクセスポイントに当該移動局が間もなくハンドオーバーを行うことを告知することができ、当該方式は柔軟性が高く、移動局は、必要とする場合、ハンドオーバーすることができ、ハンドオーバーの効率を向上させることができ、ハンドオーバー中断時間を短縮することができ、同時に当該方法は、ユーザエクスペリエンスを高まることができる。
【０１１２】
選択肢として、本発明の実施例において、当該第１ネットワークアクセスポイントが当該ハンドオーバー指示情報を受信した後に、当該移動局に第１指示情報を送信することができる。当該第１指示情報が、前記移動局が前記ハンドオーバーリソース設定情報に指示された設定を使用して（ここで、当該ハンドオーバーリソース設定情報が、ハンドオーバーリソースと相関パラメータとを含むことができる）、前記第１ネットワークアクセスポイント及び／又は前記第２ネットワークアクセスポイントと通信することを指示するように用いられる。
【０１１３】
なお、本発明の実施例において、ハンドオーバー指示情報は、上記の複数のケースのハンドオーバーを含むことができ、それに応じて、当該第１指示情報は、当該ハンドオーバー指示情報を応答するように用いられることができる。以下、ハンドオーバー指示情報が間もなくネットワークアクセスポイントのハンドオーバーを行うために用いられることを例として、本発明の実施例を詳しく説明する。
【０１１４】
本発明の実施例において、移動局がネットワークアクセスポイントのハンドオーバーをしようとすると仮定する。ここで、当該ハンドオーバーのターゲットネットワークアクセスポイントが移動局より確定されたものであっても良く、第１ネットワークアクセスポイントにより確定されたものであっても良い。
【０１１５】
（１）移動局は、移動局が間もなく第２ネットワークアクセスポイント（即ち、ターゲットネットワークアクセスポイント）にハンドオーバーすることを確定する。
【０１１６】
選択肢として、当該第１ネットワークアクセスポイントは、移動局より送信された第２ネットワークアクセスポイントの識別情報を受信することもできる。当該第１ネットワークアクセスポイントは、当該識別情報と、当該ハンドオーバー指示情報とに基づいて、間もなく当該移動局が当該第２ネットワークアクセスポイントにハンドオーバーすることを確定することができる。
【０１１７】
ここで、当該識別情報と当該ハンドオーバー指示情報とは、同一メッセージにベアラされても良く、二つのメッセージにベアラされても良く、本発明の実施例はそれを限定しない。
【０１１８】
選択肢として、第１ネットワークアクセスポイントが当該識別情報も受信した場合、上記の第１指示情報はＡＣＫフィードバック情報であっても良い。
【０１１９】
第１ネットワークアクセスポイントは、当該移動局が間もなく第２ネットワークアクセスポイントにハンドオーバーすることを知った後に、相関する操作を行うことができる。例えば、第２ネットワークアクセスポイントに当該移動局のアクセスを準備するような操作を通知することが可能である。
【０１２０】
（２）第１ネットワークアクセスポイントは、移動局が間もなく第２ネットワークアクセスポイントにハンドオーバーすることを確定する。
【０１２１】
具体的に、当該第１ネットワークアクセスポイントが当該ハンドオーバー指示情報を受信した後に、当該第１ネットワークデバイスは、当該移動局にネットワークアクセスポイントへハンドオーバーするニーズがあることを承知し、当該第１ネットワークデバイスは、当該ターゲットアクセスポイントを確定することができる。
【０１２２】
例えば、前記移動局の移動軌跡に基づいて、前記移動局が間もなく前記第１ネットワークアクセスポイントから前記第２ネットワークアクセスポイントへハンドオーバーすることを確定する。
【０１２３】
また、例えば、前記移動局のフィードバックされた測定信号の強度に基づいて、前記移動局が間もなく前記第１ネットワークアクセスポイントから前記第２ネットワークアクセスポイントへハンドオーバーすることを確定するする。
【０１２４】
さらに、例えば、前記移動局の移動軌跡と移動速度に基づいて、前記移動局が間もなく前記第１ネットワークアクセスポイントから前記第２ネットワークアクセスポイントへハンドオーバーすることを確定する。
【０１２５】
当該第１ネットワークアクセスポイントが、当該移動局のターゲットネットワークアクセスポイントを確定することできるようになってから、第１指示情報によってターゲットアクセスポイントを移動局に告知することができる。つまり、前記移動局が間もなく前記第１ネットワークアクセスポイントから前記第２ネットワークアクセスポイントへハンドオーバーすることを確定した場合、当該第１ネットワークアクセスポイントは、前記移動局へ前記第１指示情報を送信することができる。
【０１２６】
なお、本発明の実施例における方法によって、第１ネットワークアクセスポイントは、ハンドオーバーリソース設定情報を移動局に予め送信することができ、それによって移動局がハンドオーバーする必要がある時に、ハンドオーバーリソース設定情報に指示された設定に基づいて、ハンドオーバーを行うことができ、ハンドオーバー中断時間を短縮することができる。さらに、当該移動局が、間もなくハンドオーバーするか否かについて、第１ネットワークアクセスポイントによって確定しても良く、移動局によって確定しても良い。それに応じて、当該ターゲットネットワークアクセスポイントは、第１ネットワークアクセスポイントによって確定しても良く、移動局によって確定しても良い。当該技術案の柔軟性が良く、移動局のハンドオーバーに有利である。
【０１２７】
選択肢として、第１指示情報は、物理層の制御シグナリングのリザーブ情報ビットによって指示してもよく、又は、第１指示情報は、割り当てた新たな無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）によって指示を行われており、又は、第１指示情報は、新しい物理層の制御シグナリングのフォーマットによって指示を行っている。
【０１２８】
なお、本発明の実施例において、物理層の制御シグナリングのリザーブ情報ビットとは、現行のプロトコルに定義されている物理層の制御シグナリングのフォーマートにおける、利用されていなく、具体的な定義がされていないリザーブされた（ｒｅｓｅｒｖｅｄ）フィールド又はリザーブビットと意味する。
【０１２９】
なお、本発明の実施例において、新しい物理層の制御シグナリングのフォーマットは、現行のプロトコルに定義されている物理層の制御シグナリングのフォーマットと異なり、又は将来のプロトコルに改めて定義された物理層の制御シグナリングのフォーマットであると理解しても良い。
【０１３０】
なお、本発明の実施例において、割り当てた新たなＲＮＴＩは、現行ＲＮＴＩではなく、改めて割り当てられたものであり、当該新たなＲＮＴＩは、第１指示情報を専用的に示すように用いられることが可能である。
【０１３１】
選択肢として、移動局は、第１指示情報を受信した後に、Ｓ１２０で受信されたハンドオーバーリソース設定情報に指示されたハンドオーバーリソースを使用し、第１ネットワークアクセスポイント及び／又は第２ネットワークアクセスポイントと通信を行うことができる。
【０１３２】
選択肢として、移動局が間もなく第１ネットワークアクセスポイントから第２ネットワークアクセスポイントへハンドオーバーすることを確定する時に、第１指示情報を移動局に送信することができる。
【０１３３】
なお、Ｓ１１０で複数個のネットワークアクセスポイントと１対１対応する複数セットのハンドオーバーリソース設定情報を確定し、Ｓ１２０で、複数セットのハンドオーバーリソース設定情報と、対応するネットワークアクセスポイントの識別情報とを移動局に送信する場合、Ｓ１３０において、第１指示情報は、ネットワークアクセスポイントの識別情報を含むことが可能である。
【０１３４】
例えば、第１指示情報に第２ネットワークアクセスポイントの識別情報が含まれる場合、Ｓ１３０において、移動局が第１指示情報を受信した後に、第１指示情報に含まれている第２ネットワークアクセスポイントの識別情報に基づいて、当該識別情報に対応するハンドオーバーリソース設定情報を確定することができ、当該ハンドオーバーリソース設定情報に指示されているハンドオーバーリソースを使用して、後続の通信を行う。
【０１３５】
選択肢として、Ｓ１３０の後に、第１ネットワークアクセスポイントは、移動局が当該ハンドオーバーリソースで送信されたアップリンクデータを受信することができる。
【０１３６】
例えば、移動局がハンドオーバーリソースで複数個の同じのアップリンクデータパケットを送信する場合、第１ネットワークアクセスポイントは、当該複数個の同じのアップリンクデータパケットを受信することができ、そのうちの一つのアップリンクデータパケットをアップリンク受信データパケットとして確定し、当該アップリンク受信データパケット内の前記アップリンクデータを取得する。
【０１３７】
ここで、移動局が当該ハンドオーバーリソースで送信されたアップリンクデータを受信するために、第１ネットワークアクセスポイントは、少なくとも一つのその他のネットワークアクセスポイントと協調することができる。ここでの少なくとも一つのその他のネットワークアクセスポイントは、第２ネットワークアクセスポイントを含むことが可能である。つまり、第１ネットワークアクセスポイントは、第２ネットワークアクセスポイントと協調することができ、移動局が当該ハンドオーバーリソースで送信されたアップリンクデータを受信する。
【０１３８】
なお、第１ネットワークアクセスポイントが、そのたのネットワークアクセスポイントと協調して受信する時に、各ネットワークアクセスポイントがデータパケットを受信する時に使用される物理リソースの位置と設定は完全に同じであり、又は、各ネットワークアクセスポイントがデータパケットを受信する時に使用される物理リソースの位置と設定は全くずれている。しかも、後から受信されるデータパケットからそのうちの一つのデータパケットを選択して受信データパケットとする。
【０１３９】
当該協調して受信する過程において、第１ネットワークアクセスポイントは、少なくとも一つのその他のネットワークアクセスポイントと完全に同様な物理リソース設定情報を使用することができ、又は、第１ネットワークアクセスポイントは、少なくとも一つのその他のネットワークアクセスポイントと全く異なる物理リソース設定情報を使用することができる。ここでの少なくとも一つのその他のネットワークアクセスポイントは、第２ネットワークアクセスポイントを含むことが可能である。つまり、第１ネットワークアクセスポイントと第２ネットワークアクセスポイントとは、全く同じ又は完全に異なる物理リソース設定情報を使用することができる。
【０１４０】
選択肢として、第１ネットワークアクセスポイントは、移動局にダウンリンクデータを送信することができる。
【０１４１】
例えば、移動局がそのうちの一つのダウンリンクデータパケットをダウンリンク受信データパケットと確定し、当該ダウンリンク受信データパケット内の前記ダウンリンクデータを取得するために、第１ネットワークアクセスポイントは、移動局に複数個の同じのダウンリンクデータパケットを送信することができる。
【０１４２】
具体的に、移動局が第１ネットワークアクセスポイントから第２ネットワークアクセスポイントへハンドオーバーする過程において、第１ネットワークアクセスポイントは、当該移動局にダウンリンクデータを送信することができる。それに応じて、移動局は、ハンドオーバーリソースを使用して、当該ダウンリンクデータを受信することができる。
【０１４３】
ここで、第１ネットワークアクセスポイントは、少なくとも一つのその他のネットワークアクセスポイントと協調することができ、移動局に前記ダウンリンクデータを送信する。ここでの少なくとも一つのその他のネットワークアクセスポイントは、第２ネットワークアクセスポイントを含むことができる。つまり、第１ネットワークアクセスポイントは、第２ネットワークアクセスポイントと協調して、移動局にダウンリンクデータを送信することができる。
【０１４４】
あお、第１ネットワークアクセスポイントがその他のネットワークアクセスポイントと協調して送信する時に、各ネットワークアクセスポイントより送信されたデータパケットが同じであり、使用される物理リソースの位置と設定も同じである。
【０１４５】
当該協調して送信する過程において、第１ネットワークアクセスポイントが少なくとも一つのその他のネットワークアクセスポイントと完全に同じの物理リソース設定情報を使用することができ、又は、第１ネットワークアクセスポイントが少なくとも一つのその他のネットワークアクセスポイントと全く異なる物理リソース設定情報を使用することができる。ここでの少なくとも一つのその他のネットワークアクセスポイントは、第２ネットワークアクセスポイントを含むことができる。つまり、第１ネットワークアクセスポイントと第２ネットワークアクセスポイントとは、全く同じ又は完全に異なる物理リソース設定情報を使用することができる。
【０１４６】
図３は本発明の実施例によるハンドオーバーのためのリソース設定方法のもう一つの例の概略のフローチャートである。図３に示されている方法は、移動局により実施し、Ｓ２１０〜Ｓ２３０を含む。
【０１４７】
Ｓ２１０において、移動局は、第１ネットワークアクセスポイントより送信されたハンドオーバーリソース設定情報を取得する。
【０１４８】
ここで、ハンドオーバーリソース設定情報は、物理時間周波数リソースブロックの位置情報、変調符号化設定情報、基準信号の設定情報、アンテナ設定情報のうちの少なくとも一つを含むことが可能性がある。
【０１４９】
選択肢として、ハンドオーバーリソース設定情報は、第１ネットワークアクセスポイントシステム情報ブロードキャストを介して送信されるものである。又は、ハンドオーバーリソース設定情報は、第１ネットワークアクセスポイント制御シグナリングを介して送信されたものである。ここで、制御シグナリングは、物理ダウンリンク物理シグナリングであっても良く、例えば、ＰＤＣＣＨである。
【０１５０】
ここで、第１ネットワークアクセスポイントは移動局と同期し、又は、第１ネットワークアクセスポイントと移動局との間に固定の第２タイミングオフセットを有する。
【０１５１】
選択肢として、一つの実施例として、移動局が第１ネットワークアクセスポイントのネットワークにアクセスする時に、第１ネットワークアクセスポイントより送信されたハンドオーバーリソース設定情報を受信することができる。
【０１５２】
選択肢として、もう一つの実施例として、移動局が第１ネットワークアクセスポイントのネットワークにアクセスした後に、第１ネットワークアクセスポイントより送信されたハンドオーバーリソース設定情報を受信することができる。
【０１５３】
選択肢として、もう一つの実施例として、移動局が間もなく第１ネットワークアクセスポイントから第２ネットワークアクセスポイントへハンドオーバーする時に、第１ネットワークアクセスポイントより送信されたハンドオーバーリソース設定情報を受信する。
【０１５４】
当該ステップＳ２１０は、上記の図２の実施例におけるステップＳ１２０を参照することが可能であり、重複を避けるために、ここでそれ以上説明しない。
【０１５５】
Ｓ２２０において、前記移動局は、前記第１ネットワークアクセスポイントにハンドオーバー指示情報を送信し、前記ハンドオーバー指示情報が、前記移動局が間もなくハンドオーバーを行うことを示すために用いられる。
【０１５６】
具体的に、第１ネットワークアクセスポイントが当該移動局が間もなくハンドオーバーを行うことを把握するために、移動局は、第１ネットワークアクセスポイントにハンドオーバー指示情報を送信することができ、それによって第１ネットワークアクセスポイントが相関操作を行うことができる。
【０１５７】
選択肢として、前記移動局が前記移動局が間もなくハンドオーバーを行うことを確定した場合、当該移動局は、前記第１ネットワークアクセスポイントに前記ハンドオーバー指示情報を送信することができる。ここで、当該移動局は、複数の方式で、当該移動局が間もなくハンドオーバーするか否かを確定することができる
選択肢として、移動局が第１ネットワークアクセスポイントより送信されたハンドオーバーリソース設定情報を受信した場合、当該移動局は、間もなくハンドオーバーを行うことを確定することができ、当該第１ネットワークアクセスポイントにハンドオーバー指示情報を送信する。
【０１５８】
例えば、前記移動局は前記移動局の移動軌跡に基づいて間もなくハンドオーバーをするか否かを確定する。
【０１５９】
また、例えば、前記移動局は、前記第１ネットワークアクセスポイントの信号を受信する強度ことによって、間もなくハンドオーバーをするか否かを確定する。
【０１６０】
さらに、例えば、前記移動局前記移動局の移動軌跡と移動速度に基づいて、間もなくハンドオーバーをするか否かを確定する。
【０１６１】
さらに、当該移動局が当該移動局が間もなくハンドオーバーを行うか否かを確定する時に、ハンドオーバーのターゲットネットワークアクセスポイントも確定することができる。
【０１６２】
例えば、移動局は、移動局の移動軌跡に基づいて、当該移動局が間もなく第１ネットワークアクセスポイントから第２ネットワークアクセスポイントにハンドオーバーすることを確定する。
【０１６３】
また、例えば、移動局は、第１ネットワークアクセスポイントの信号の強度と、第２ネットワークアクセスポイントの信号の強度とに基づいて、当該移動局が間もなく第１ネットワークアクセスポイントから第２ネットワークアクセスポイントにハンドオーバーすることを確定する。
【０１６４】
選択肢として、当該移動局は、第１ネットワークアクセスポイントより送信された第１指示情報を受信することもでき、当該第１指示情報は、移動局がハンドオーバーリソース設定情報に指示された設定を使用して、第１ネットワークアクセスポイント及び／又は第２ネットワークアクセスポイントと通信し始めることを示すために用いられる。
【０１６５】
選択肢として、第１指示情報は、物理層の制御シグナリングのリザーブ情報ビットによって指示され、又は、第１指示情報は、割り当てた新たな無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）によって指示され、又は、第１指示情報は、新しい物理層の制御シグナリングのフォーマットによって指示を行っている。
【０１６６】
選択肢として、当該物理層の制御シグナリングはＰＤＣＣＨであっても良い。
【０１６７】
具体的に、移動局が間もなく第１ネットワークアクセスポイントから第２ネットワークアクセスポイントへハンドオーバーする時に、第１ネットワークアクセスポイントより送信された第１指示情報を受信する。
【０１６８】
選択肢として、第１指示情報は、ハンドオーバーリソースに対応するネットワークアクセスポイントの識別情報を含むことができる。
【０１６９】
当該ステップＳ２２０は、上記の図２の実施例におけるステップＳ１３０を参照することができ、重複を避けるために、ここでそれ以上説明しない。
【０１７０】
選択肢として、移動局は第１ネットワークアクセスポイントより送信された第２指示情報を受信することをさらに含むことができる。当該第２指示情報は、第１ネットワークアクセスポイントと第２ネットワークアクセスポイントとの同期情報、前記移動局の速度情報、前記移動局の移動軌跡情報のうちの少なくとも一つを含む。さらに、移動局は、第２指示情報に基づいて、第２ネットワークアクセスポイントのアップリンク同期情報を取得することができる。
【０１７１】
Ｓ２３０において、前記移動局が前記ハンドオーバーリソース設定情報に指示された設定を使用して、前記第１ネットワークアクセスポイント及び／又は第２ネットワークアクセスポイントと通信を行う。
【０１７２】
選択肢として、前記移動局は、前記第１ネットワークアクセスポイントが前記ハンドオーバー指示情報に基づいて送信された第１指示情報を受信し、前記第１指示情報が、前記移動局が前記ハンドオーバーリソース設定情報に指示された設定を使用して、前記第１ネットワークアクセスポイント及び／又は前記第２ネットワークアクセスポイントと通信するように指示するために用いられ、前記移動局が前記ハンドオーバーリソース設定情報に指示された設定を使用して、前記第１ネットワークアクセスポイント及び／又は前記第２ネットワークアクセスポイントと通信することは、前記移動局は、前記第１指示情報基づいて、前記ハンドオーバーリソース設定情報に指示された設定を使用して、前記第１ネットワークアクセスポイント及び／又は第２ネットワークアクセスポイントと通信を行うことを含む。
【０１７３】
選択肢として、移動局が、第１指示情報を受信した後に、Ｓ２１０で受信したハンドオーバーリソース設定情報に指示されるハンドオーバーリソースを使用し始める。なお、第１指示情報がネットワークアクセスポイントの識別情報を含むとした場合、移動局が当該識別情報に対応するハンドオーバーリソース設定情報に指示されるハンドオーバーリソースを使用する。
【０１７４】
選択肢として、前記第１ネットワークアクセスポイントが前記識別情報と前記ハンドオーバー指示情報とに基づいて、前記移動局が間もなく前記第２ネットワークアクセスポイントへハンドオーバーすることを確定するために、前記移動局は、前記第１ネットワークアクセスポイントに第２ネットワークアクセスポイントの識別情報を送信する。当該技術案の具体的に説明は、上記の説明を参照することができ、簡潔上、ここでそれ以上説明しない。
【０１７５】
選択肢として、移動局は、当該ハンドオーバーリソースを使用してアップリンクデータを送信することができる。
【０１７６】
例えば、第１ネットワークアクセスポイント及び／又は第２ネットワークアクセスポイントが当該複数個の同じのアップリンクデータパケットを受信し、そのうちの一つのアップリンクデータパケットをアップリンク受信データパケットとして確定し、当該アップリンク受信データパケット内のアップリンクデータを取得するために、移動局は、ハンドオーバーリソースを使用して複数個の同じのアップリンクデータパケットを送信することできる。
【０１７７】
一例として、前記アップリンクデータが前記第１ネットワークアクセスポイントと前記第２ネットワークアクセスポイントとに同時に届くために、移動局は、当該ハンドオーバーリソースを使用し、予め設定されたサイクリックプレフィックス（ＣＰ：Ｃｙｃｌｉｃ  Ｐｒｅｆｉｘ）値を採用してアップリンクデータを送信することができる。ここで、前記予め設定されたＣＰ値が固定の閾値より大きい。
【０１７８】
このように、移動局はサイズの大きいＣＰを使用して、アップリンクデータが第１ネットワークアクセスポイントと第２ネットワークアクセスポイントとに同時に届くことを確保することできる。
【０１７９】
選択肢として、移動局は、当該ハンドオーバーリソースを使用してダウンリンクデータを受信することができる。
【０１８０】
ここでのダウンリンクデータは、第１ネットワークアクセスポイント又は第２ネットワークアクセスポイントより送信されても良い。又は、ここでのダウンリンクデータは、第１ネットワークアクセスポイントと第２ネットワークアクセスポイントと協調して送信されても良い。
【０１８１】
例えば、移動局は、第１ネットワークアクセスポイント及び／又は第２ネットワークアクセスポイントより送信された複数個の同じのダウンリンクデータパケットを受信することができ、複数個の同じのダウンリンクデータパケットのうちの一つをダウンリンク受信データパケットとして確定し、ダウンリンク受信データパケット内の前記ダウンリンクデータを取得する。
【０１８２】
当該ステップＳ２３０は、上記の図２の実施例におけるステップＳ１３０の後に通信を行う説明を参照することができ、重複を避けるために、ここでそれ以上説明しない。
【０１８３】
なお、図２の実施例の相関説明は、図１実施例の相関説明を参照することができ、簡潔上、ここでそれ以上説明しない。
【０１８４】
図４は本発明の実施例によるハンドオーバーのためのリソース設定方法のもう一例の概略のフローチャートである。図４に第１ネットワークアクセスポイント１００、第２ネットワークアクセスポイント２００、及び移動局３００を示している。図４に示されている方法は、Ｓ３１０
〜Ｓ３５０を含む。
【０１８５】
Ｓ３１０において、第１ネットワークアクセスポイント１００は、第２ネットワークアクセスポイント２００とのハンドオーバーリソース設定情報を確定する。
【０１８６】
選択肢として、前記ハンドオーバーリソース設定情報を確定するために、第１ネットワークアクセスポイントは、通信インターフェースを介して、前記第２ネットワークアクセスポイントと協調を行うことができる。
【０１８７】
図４のステップＳ３１０は、上記の図２の実施例におけるＳ１１０を参照することができ、重複を避けるために、ここでそれ以上説明しない。
【０１８８】
Ｓ３２０において、第１ネットワークアクセスポイント１００は、ハンドオーバーリソース設定情報を移動局３００に送信する。
【０１８９】
選択肢として、システム情報ブロードキャスト、又は制御シグナリングを介して、ハンドオーバーリソース設定情報を移動局３００に送信する。
【０１９０】
図４のステップＳ３２０は、上記の図２の実施例におけるＳ１２０、又は図３の実施例におけるＳ２１０を参照することができ、重複を避けるために、ここでそれ以上説明しない。
【０１９１】
Ｓ３３０において、第１ネットワークアクセスポイント１００は、移動局３００より送信されたハンドオーバー指示情報を受信し、当該ハンドオーバー指示情報は、前記移動局３００が間もなくハンドオーバーすることを示すために用いられる。
【０１９２】
図４のステップＳ３３０は、上記の図２の実施例におけるＳ１３０、又は図３の実施例におけるＳ２２０を参照することができ、重複を避けるために、ここでそれ以上説明しない。
【０１９３】
選択肢として、Ｓ３４０において、第１ネットワークアクセスポイント１００は、移動局３００に第１指示情報を送信し、当該第１指示情報が、移動局３００がハンドオーバーリソースを使用し始めることを示すために用いられる。
【０１９４】
選択肢として、移動局３００が第１ネットワークアクセスポイント１００のネットワークにアクセスした時に、又は、移動局３００が第１ネットワークアクセスポイント１００のネットワークにアクセスした後に、又は、移動局３００が間もなく第１ネットワークアクセスポイント１００から第２ネットワークアクセスポイント２００にハンドオーバーすることを確定した時に、第１指示情報を送信することができる。
【０１９５】
図４のステップＳ３４０は、上記の図２又は図３の実施例における第１指示情報に関する記載を参照することができ、重複を避けるために、ここでそれ以上説明しない。
【０１９６】
Ｓ３５０において、移動局３００は、前記ハンドオーバーリソース設定情報に指示された設定を用いて、前記第１ネットワークアクセスポイント及び／又は第２ネットワークアクセスポイントと通信を行う。
【０１９７】
選択肢として、移動局３００は、当該ハンドオーバーリソースを使用してアップリンクデータを送信し、又は第１ネットワークアクセスポイント１００及び／又は第２ネットワークアクセスポイント２００より送信されたダウンリンクデータを受信することができる。
【０１９８】
図４のステップＳ３５０は、上記の図２と図３との実施例の相関する記載を参照することができ、重複を避けるために、ここでそれ以上説明しない。
【０１９９】
さらに、なお、移動局３００の高速移動によって、移動局３００が第２ネットワークアクセスポイント２００のネットワークカバレッジ範囲内に移動した後に、移動局３００は、第２ネットワークアクセスポイント２００とランダムアクセスの過程を実施することができ、第２ネットワークアクセスポイント２００に割り当てられたセルラーリンク伝送リソースに基づいて通信を行うことができる。また、当該第２ネットワークアクセスポイント２００は、その他のネットワークアクセスポイントとのハンドオーバーリソース設定情報を同様に確定することもでき、確定したハンドオーバーリソース設定情報を移動局３００に送信する。後続過程は、図２に示される第１ネットワークアクセスポイントの実施過程と類似しており、ここでそれ以上説明しい。
【０２００】
本発明の実施例における移動局は、Ｖ２Ｘ内の端末デバイスであっても良く、このように、Ｖ２Ｘ移動局の移動が方向性における予測可能である特徴を利用し、ハンドオーバーリソースの概念を導入することによって、ネットワークアクセスポイントの間でハンドオーバーリソースを予め協調することができ、Ｖ２Ｘ移動局がハンドオーバーしようとする時になってくると、当該ハンドオーバーリソースを用いてハンドオーバーを行うことが可能である。このような方式によって、Ｖ２Ｘ移動局は、ハンドオーバーの前にでも、ターゲットセル（即ち、第２ネットワークアクセスポイント）を設定しても良い、それによってハンドオーバーの中断時間を短縮することができる。
【０２０１】
図５は本発明の実施例によるネットワークアクセスポイントの一例の概略のブロック図である。図５に示されるネットワークアクセスポイント１０は、第１ネットワークアクセスポイントであり、確定ユニット１０１、送信ユニット１０２、及び受信ユニット１０３を含む
確定ユニット１０１は、第２ネットワークアクセスポイントとの間のハンドオーバーリソース設定情報を確定するように構成され、送信ユニット１０２は、前記確定ユニット１０１で確定した前記ハンドオーバーリソース設定情報を移動局に送信するように構成され、受信ユニット１０３は、前記移動局より送信されたハンドオーバー指示情報を受信するように構成され、前記ハンドオーバー指示情報が、前記移動局が間もなくハンドオーバーを行うことを示すために用いられる。
【０２０２】
選択肢として、前記送信ユニット１０２は、前記移動局に第１指示情報を送信するようにさらに構成され、前記第１指示情報が、前記移動局が前記ハンドオーバーリソース設定情報に指示された設定を使用して、前記第１ネットワークアクセスポイント及び／又は前記第２ネットワークアクセスポイントと通信するように指示するために用いられる。
【０２０３】
選択肢として、前記受信ユニット１０３は、前記移動局より送信された前記第２ネットワークアクセスポイントの識別情報を受信するようにさらに構成され、前記確定ユニット１０１は、前記ハンドオーバー指示情報と前記識別情報とに基づいて、前記移動局が間もなく前記第２ネットワークアクセスポイントへハンドオーバーすることを確定するようにさらに構成される。
【０２０４】
選択肢として、前記送信ユニット１０２は、具体的に、前記確定ユニット１０１前記移動局が間もなく前記第１ネットワークアクセスポイントから前記第２ネットワークアクセスポイントへハンドオーバーすることを確定する時に、前記移動局へ前記第１指示情報を送信するように構成される。
【０２０５】
選択肢として、前記確定ユニット１０１は、前記移動局の移動軌跡に基づいて、前記移動局が間もなく前記第１ネットワークアクセスポイントから前記第２ネットワークアクセスポイントへハンドオーバーすることを確定し、
前記移動局のフィードバックされた測定信号の強度に基づいて、前記移動局が間もなく前記第１ネットワークアクセスポイントから前記第２ネットワークアクセスポイントへハンドオーバーすることを確定し、
前記移動局の移動軌跡と移動速度に基づいて、前記移動局が間もなく前記第１ネットワークアクセスポイントから前記第２ネットワークアクセスポイントへハンドオーバーすることを確定するようにさらに構成される。
【０２０６】
選択肢として、前記第１指示情報は、物理層の制御シグナリングのリザーブ情報ビットによって指示を行っており、又は、前記第１指示情報は、割り当てた新たな無線ネットワーク一時識別子（ＲＮＴＩ）によって指示を行っており、又は、前記第１指示情報は、新しい物理層の制御シグナリングのフォーマットによって指示を行っている。
【０２０７】
選択肢として、前記ハンドオーバー指示情報は、物理層の制御シグナリングのリザーブ情報ビットによって指示を行っており、又は前記ハンドオーバー指示情報は、メディアアクセス制御（ＭＡＣ）層のシグナリングによって指示を行っており、又は前記ハンドオーバー指示情報は、無線リソース制御（ＲＲＣ）シグナリングによって指示を行っている。
【０２０８】
選択肢として、前記確定ユニット１０１、具体的に、前記第１ネットワークアクセスポイントと前記第２ネットワークアクセスポイントとの間の通信インターフェースを介して、前記第２ネットワークアクセスポイントと協調を行い、前記ハンドオーバーリソース設定情報を確定するように構成される。
【０２０９】
選択肢として、前記ハンドオーバーリソース設定情報は、物理時間周波数リソースブロックの位置情報、変調シンボル化方式情報、基準信号の設定情報、アンテナ設定情報のうちの少なくとも一つを含む。
【０２１０】
選択肢として、前記送信ユニット１０２は、具体的に、前記移動局が前記第１ネットワークアクセスポイントのネットワークにアクセスする場合、前記ハンドオーバーリソース設定情報を前記移動局に送信し、又は、前記移動局が前記第１ネットワークアクセスポイントのネットワークにアクセスした後に、前記ハンドオーバーリソース設定情報を前記移動局に送信し、又は、前記移動局が間もなく前記第１ネットワークアクセスポイントから前記第２ネットワークアクセスポイントへハンドオーバーすることを確定した場合、前記ハンドオーバーリソース設定情報を前記移動局に送信するように構成される。
【０２１１】
選択肢として、前記送信ユニット１０２は、具体的に、システム情報ブロードキャストを介して、前記ハンドオーバーリソース設定情報を前記移動局に送信し、又は、制御シグナリングを介して、前記ハンドオーバーリソース設定情報を前記移動局に送信するように構成される。
【０２１２】
選択肢として、前記受信ユニット１０３は、前記移動局が前記ハンドオーバーリソースを用いて送信されたアップリンクデータを受信するようにさらに構成される。
【０２１３】
選択肢として、前記受信ユニット１０３は、具体的に、少なくとも一つのその他のネットワークアクセスポイントと協調を行い、前記移動局が前記ハンドオーバーリソースを用いて送信された前記アップリンクデータを受信するように構成される。
【０２１４】
選択肢として、前記受信ユニット１０３は、具体的に、前記第１ネットワークアクセスポイントと前記少なくとも一つのその他のネットワークアクセスポイントとは、全く同じ又は完全に異なる物理リソース設定情報を使用して、前記移動局が前記ハンドオーバーリソースを用いて送信された前記アップリンクデータを受信するように構成される。
【０２１５】
選択肢として、前記少なくとも一つのその他のネットワークアクセスポイントは、前記第２ネットワークアクセスポイントを含む。
【０２１６】
選択肢として、前記受信ユニット１０３は、具体的に、前記移動局より送信された複数個の同じのアップリンクデータパケットを受信し、そのうちの一つのアップリンクデータパケットをアップリンク受信データパケットとして確定し、当該アップリンク受信データパケット内の前記アップリンクデータを取得するように構成される。
【０２１７】
選択肢として、前記送信ユニット１０２は、前記移動局にダウンリンクデータを送信するようにさらに構成される。
【０２１８】
選択肢として、前記送信ユニット１０２は、具体的に、少なくとも一つのその他のネットワークアクセスポイントと協調し、前記移動局に前記ダウンリンクデータを送信するように構成される。
【０２１９】
選択肢として、前記送信ユニット１０２は、具体的に、前記第１ネットワークアクセスポイントと前記少なくとも一つのその他のネットワークアクセスポイントとは、全く同じ又は完全に異なる物理リソース設定情報を使用して、前記移動局に前記ダウンリンクデータを送信するように構成される。
【０２２０】
選択肢として、前記少なくとも一つのその他のネットワークアクセスポイントは、前記第２ネットワークアクセスポイントを含む。
【０２２１】
選択肢として、前記送信ユニット１０２は、具体的に、前記移動局が、そのうちの一つのダウンリンクデータパケットをダウンリンク受信データパケットとして確定し、当該ダウンリンク受信データパケット内の前記ダウンリンクデータを取得するために、前記移動局に複数個の同じのダウンリンクデータパケットを送信するように構成される。
【０２２２】
選択肢として、前記第１ネットワークアクセスポイントは、前記第２ネットワークアクセスポイントと同期し、又は、前記第１ネットワークアクセスポイントと前記第２ネットワークアクセスポイントとの間に固定の第１タイミングオフセットを有する。
【０２２３】
選択肢として、前記第１ネットワークアクセスポイントは前記移動局と同期し、又は、前記第１ネットワークアクセスポイントと前記移動局との間に固定の第２タイミングオフセットを有する。
【０２２４】
選択肢として、前記送信ユニット１０２は、前記移動局に第２指示情報を送信するようにさらに構成され、ここで、前記第２指示情報は、前記第１ネットワークアクセスポイントと前記第２ネットワークアクセスポイントとの間の同期情報、前記移動局の速度情報、前記移動局の移動軌跡情報のうちの少なくとも一つを含む。
【０２２５】
ここで、前記ハンドオーバーリソース設定情報は、物理時間周波数リソースブロックの位置情報、変調符号化設定情報、基準信号の設定情報、アンテナ設定情報のうちの少なくとも一つを含む。
【０２２６】
ここで、前記第１ネットワークアクセスポイントは、前記第２ネットワークアクセスポイントと同期し、又は、前記第１ネットワークアクセスポイントと前記第２ネットワークアクセスポイントとの間に固定の第１タイミングオフセットを有する。
【０２２７】
ここで、前記第１ネットワークアクセスポイントは前記移動局と同期し、又は、前記第１ネットワークアクセスポイントと前記移動局との間に固定の第２タイミングオフセットを有する。
【０２２８】
なお、本発明の実施例において、確定ユニット１０１は、プロセッサによって実現しても良く、送信ユニット１０２は、トランスミッターによって実現しても良く、受信ユニット１０３はレシーバーによって実現しても良い。図６は本発明の実施例によるネットワークアクセスポイントの別の一例の概略のブロック図である。図６に示すように、ネットワークアクセスポイント１１は、プロセッサ１１１、レシーバー１１２、トランスミッター１１３、及び記憶装置１１４を含むことができる。ここで、記憶装置１１４は、上記のシグナリング、情報などを記憶するために用いられても良く、プロセッサ１１１により実行するコードなどを記憶するために用いられても良い。
【０２２９】
ネットワークアクセスポイント１１内の各コンポネットは通信接続しており、例えば、プロセッサ１１１、記憶装置１１４、及びインターフェースとの間は、内部接続ルートによって互いに通信し、制御及び／又はデータの信号を伝送する。
【０２３０】
図５に示されているネットワークアクセスポイント１０又は図６に示されているネットワークアクセスポイント１１は、上記の図２〜図４の方法実施例における、第１ネットワークアクセスポイントにより実現される各過程を実現することができ、重複を避けるために、ここでそれ以上説明しない。
【０２３１】
図７は本発明の実施例による移動局の一例の概略のブロック図である。図７に示されている移動局２０は、取得ユニット２０１、受信ユニット２０２、及び通信ユニット２０３を含む。
【０２３２】
取得ユニット２０１は、第１ネットワークアクセスポイントより送信されたハンドオーバーリソース設定情報を取得するように構成される。
【０２３３】
送信ユニットは、前記第１ネットワークアクセスポイントにハンドオーバー指示情報を送信するように構成され、前記ハンドオーバー指示情報が、前記移動局が間もなくハンドオーバーを行うことを示すために用いられる。
【０２３４】
通信ユニット２０３は、前記ハンドオーバーリソース設定情報に指示された設定を用いて、前記第１ネットワークアクセスポイント及び／又は第２ネットワークアクセスポイントと通信を行うように構成される。
【０２３５】
選択肢として、前記移動局は、受信ユニット２０２をさらに含み、前記第１ネットワークアクセスポイントより送信された第１指示情報を受信するように構成され、前記第１指示情報が、前記移動局が前記取得ユニット２０１で取得した前記ハンドオーバーリソース設定情報に示されているハンドオーバーリソースを使用することを指示するために用いられ、前記通信ユニット２０３は、具体的に、前記第１指示情報前記ハンドオーバーリソース設定情報に指示された設定を基づいて、前記第１ネットワークアクセスポイント及び／又は前記第２ネットワークアクセスポイントと通信するように構成される。
【０２３６】
選択肢として、前記第１ネットワークアクセスポイントが前記識別情報と前記ハンドオーバー指示情報とに基づいて、前記移動局が間もなく前記第２ネットワークアクセスポイントへハンドオーバーすることを確定するために、前記送信ユニットは、前記第１ネットワークアクセスポイントに第２ネットワークアクセスポイントの識別情報を送信するようにさらに構成される。
【０２３７】
選択肢として、前記送信ユニットは、具体的に、前記移動局が前記移動局が間もなくハンドオーバーを行うことを確定した場合、前記移動局に前記ハンドオーバー指示情報を送信するように構成される。
【０２３８】
選択肢として、前記移動局は、前記移動局の移動軌跡に基づいて、間もなくハンドオーバーをするか否かを確定し、又は、受信された前記第１ネットワークアクセスポイントの信号の強度に基づいて、間もなくハンドオーバーをするか否かを確定し、又は、前記移動局の移動軌跡と移動速度に基づいて、間もなくハンドオーバーをするか否かを確定するように構成される確定ユニットをさらに含む。
【０２３９】
選択肢として、前記第１指示情報は、物理層の制御シグナリングのリザーブ情報ビットによって指示を行っており、又は、前記第１指示情報は、割り当てた新たな無線ネットワーク一時識別子（ＲＮＴＩ）によって指示を行っており、又は、前記第１指示情報は、新しい物理層の制御シグナリングのフォーマットによって指示を行っている。
【０２４０】
選択肢として、前記ハンドオーバー指示情報は、物理層の制御シグナリングのリザーブ情報ビットによって指示を行っており、又は前記ハンドオーバー指示情報は、メディアアクセス制御（ＭＡＣ）層のシグナリングによって指示を行っており、又は前記ハンドオーバー指示情報は、無線リソース制御（ＲＲＣ）シグナリングによって指示を行っている。
【０２４１】
選択肢として、前記取得ユニット２０１は、第１受信サブユニットを含み、前記移動局が前記第１ネットワークアクセスポイントのネットワークにアクセスする時に、前記第１ネットワークアクセスポイントより送信された前記ハンドオーバーリソース設定情報を受信し、又は、前記移動局が前記第１ネットワークアクセスポイントのネットワークにアクセスした後に、前記第１ネットワークアクセスポイントより送信された前記ハンドオーバーリソース設定情報を受信し、又は、前記移動局が間もなく前記第１ネットワークアクセスポイントから前記第２ネットワークアクセスポイントへハンドオーバーする時に、前記第１ネットワークアクセスポイントより送信された前記ハンドオーバーリソース設定情報を受信するように構成される。
【０２４２】
選択肢として、前記ハンドオーバーリソース設定情報は、前記第１ネットワークアクセスポイントシステム情報ブロードキャストを介して送信されたものであり、又は、前記ハンドオーバーリソース設定情報は、前記第１ネットワークアクセスポイント制御シグナリングを介して送信されたものである。
【０２４３】
選択肢として、前記第１ネットワークアクセスポイント及び／又は前記第２ネットワークアクセスポイントが、前記アップリンクデータを受信するために、前記通信ユニット２０３は、送信サブユニットを含み、前記ハンドオーバーリソースを使用してアップリンクデータを送信するように構成される。
【０２４４】
選択肢として、前記アップリンクデータが前記第１ネットワークアクセスポイントと前記第２ネットワークアクセスポイントとに同時に届くために、前記送信サブユニットは、具体的に、前記ハンドオーバーリソースを使用して、予め設定されたサイクリックプレフィックス（ＣＰ）値を採用し、前記アップリンクデータを送信するように構成され、ここで、前記予め設定されたＣＰ値が固定の閾値より大きい。
【０２４５】
選択肢として、前記通信ユニット２０３は、第２受信サブユニットを含み、前記ハンドオーバーリソースを使用して前記第１ネットワークアクセスポイント及び／又は前記第２ネットワークアクセスポイントより送信されたダウンリンクデータを受信するように構成される。
【０２４６】
選択肢として、前記通信ユニット２０３は、確定サブユニットと取得サブユニットをさらに含み、前記第２受信サブユニットは、具体的に、前記第１ネットワークアクセスポイント及び／又は前記第２ネットワークアクセスポイントより送信された複数個の同じのダウンリンクデータパケットを受信するように構成され、前記確定サブユニットは、前記第２受信サブユニットで受信された前記複数個の同じのダウンリンクデータパケットのうちの一つを、ダウンリンク受信データパケットとして確定するように構成され、前記取得サブユニットは、前記確定サブユニットで確定された前記ダウンリンク受信データパケット内の前記ダウンリンクデータを取得するように構成される。
【０２４７】
選択肢として、前記移動局は前記第１ネットワークアクセスポイントと同期し、又は、前記移動局と前記第１ネットワークアクセスポイントとの間に固定の第２タイミングオフセットを有する。
【０２４８】
選択肢として、前記ハンドオーバーリソースは、物理時間周波数リソースブロックの位置情報、変調シンボル化方式情報、基準信号の設定情報、アンテナ設定情報のうちの少なくとも一つを含む。
【０２４９】
選択肢として、前記受信ユニット２０２は、前記第１ネットワークアクセスポイントより送信された第２指示情報を受信するようにさらに構成され、前記第２指示情報が、前記第１ネットワークアクセスポイントと前記第２ネットワークアクセスポイントとの間の同期情報、前記移動局の速度情報、前記移動局の移動軌跡情報のうちの少なくとも一つを含み、前記第２指示情報に基づいて、前記第２ネットワークアクセスポイントのアップリンク同期情報を取得する。
【０２５０】
なお、本発明の実施例において、取得ユニット２０１、受信ユニット２０２、及び取得サブユニット、第１受信サブユニットと第２受信サブユニットは、レシーバーによって実現されても良く、通信ユニット２０３と確定サブユニットは、プロセッサによって実現されても良く、送信サブユニットはトランスミッターによって実現されても良い。図８は本発明の実施例による移動局の別の一例の概略のブロック図である。図８に示すように、移動局２１は、プロセッサ２１１、レシーバー２１２、トランスミッター２１３、及び記憶装置２１４を含む。ここで、記憶装置２１４は、シグナリング、情報などを記憶するように構成され、プロセッサ２１１により実行されるコードなどを記憶するようにさらに構成される。
【０２５１】
移動局２１内の各コンポネットは通信接続され、例えば、プロセッサ２１１、記憶装置２１４、及びインターフェースとの間は、内部接続ルートによって互いに通信し合い、制御及び／又はデータの信号を伝送する。
【０２５２】
図７に示されている移動局２０又は図８に示されている移動局２１は、前記図２〜図４の方法実施例における移動局により実現される各過程を実現することができる、重複を避けるために、ここでそれ以上説明しない。
【０２５３】
なお、本発明の実施例におけるプロセッサは、集積回路チップである可能性があり、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０２５４】
本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０２５５】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２５６】
当業者は、説明の便利と簡潔上、上記に記載されているシステム、装置及びユニットの具体的な動作については、上記の方法実施例の対応されているフローを参照することができ、ここでそれ以上述べない。
【０２５７】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２５８】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２５９】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２６０】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２６１】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019507967.tif 000003
【図２】
2019507967.tif 000004
【図３】
2019507967.tif 000005
【図４】
2019507967.tif 000006
【図５】
2019507967.tif 000007
【図６】
2019507967.tif 000008
【図７】
2019507967.tif 000009
【図８】
2019507967.tif 000010
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
ハンドオーバーのためのリソース設定方法であって、
第１ネットワークノードは、第２ネットワークノードとの間のハンドオーバーリソース設定情報を確定することと、
前記第１ネットワークノードは、前記ハンドオーバーリソース設定情報を移動局に送信することと、
前記第１ネットワークノードは、前記移動局より送信されたハンドオーバー指示情報を受信することと、
を含み、前記ハンドオーバー指示情報が、前記移動局が間もなくハンドオーバーを行うことを示すために用いられる、
ことを特徴とする前記ハンドオーバーのためのリソース設定方法。
【請求項２】
ハンドオーバーのためのリソース設定方法であって、
移動局は、第１ネットワークノードより送信されたハンドオーバーリソース設定情報を取得することと、
前記移動局は、前記第１ネットワークノードにハンドオーバー指示情報を送信することと、
前記移動局が前記ハンドオーバーリソース設定情報に指示された設定を使用して、前記第１ネットワークノード及び／又は第２ネットワークノードと通信を行うことと、
を含み、前記ハンドオーバー指示情報が、前記移動局が間もなくハンドオーバーを行うことを示すために用いられる、
ことを特徴とする前記ハンドオーバーのためのリソース設定方法。
【請求項３】
前記移動局は、前記第１ネットワークノードが前記ハンドオーバー指示情報に基づいて送信された第１指示情報を受信することをさらに含み、前記第１指示情報が、前記移動局が前記ハンドオーバーリソース設定情報に指示された設定を使用して、前記第１ネットワークノード及び／又は前記第２ネットワークノードと通信するように指示するために用いられ、
前記移動局が前記ハンドオーバーリソース設定情報に指示された設定を使用して、前記第１ネットワークノード及び／又は前記第２ネットワークノードと通信することは、
前記移動局は、前記第１指示情報に基づいて、前記ハンドオーバーリソース設定情報に指示された設定を使用して、前記第１ネットワークノード及び／又は第２ネットワークノードと通信を行うことを含む、
ことを特徴とする請求項２に記載のハンドオーバーのためのリソース設定方法。
【請求項４】
前記第１ネットワークノードが識別情報と前記ハンドオーバー指示情報とに基づいて、前記移動局が間もなく前記第２ネットワークノードへハンドオーバーすることを確定するために、前記移動局は、前記第１ネットワークノードに第２ネットワークノードの前記識別情報を送信することをさらに含む、
ことを特徴とする請求項２又は３に記載のハンドオーバーのためのリソース設定方法。
【請求項５】
前記移動局が、前記第１ネットワークノードにハンドオーバー指示情報を送信することは、
前記移動局が前記移動局が間もなくハンドオーバーを行うことを確定した場合、前記第１ネットワークノードに前記ハンドオーバー指示情報を送信することを含む、
ことを特徴とする請求項２〜４のいずれか１項に記載のハンドオーバーのためのリソース設定方法。
【請求項６】
前記移動局は前記移動局の移動軌跡に基づいて間もなくハンドオーバーをするか否かを確定すること、又は
前記移動局は、前記第１ネットワークノードの信号を受信する強度ことによって、間もなくハンドオーバーをするか否かを確定すること、又は
前記移動局は、前記移動局の移動軌跡と移動速度に基づいて、間もなくハンドオーバーをするか否かを確定すること、
をさらに含む、ことを特徴とする請求項５に記載のハンドオーバーのためのリソース設定方法。
【請求項７】
前記第１指示情報は、物理層の制御シグナリングのリザーブ情報ビットによって指示を行っており、又は
前記第１指示情報は、割り当てた新たな無線ネットワーク一時識別子（ＲＮＴＩ）によって指示を行っており、又は
前記第１指示情報は、新しい物理層の制御シグナリングのフォーマットによって指示を行っている、
ことを特徴とする請求項３に記載のハンドオーバーのためのリソース設定方法。
【請求項８】
前記移動局が、第１ネットワークノードより送信されたハンドオーバーリソース設定情報を取得することは、
前記移動局が前記第１ネットワークノードのネットワークにアクセスする時に、前記第１ネットワークノードより送信された前記ハンドオーバーリソース設定情報を受信すること、又は、
前記移動局が前記第１ネットワークノードのネットワークにアクセスした後に、前記第１ネットワークノードより送信された前記ハンドオーバーリソース設定情報を受信すること、又は、
前記移動局が間もなく前記第１ネットワークノードから前記第２ネットワークノードへハンドオーバーする時に、前記第１ネットワークノードより送信された前記ハンドオーバーリソース設定情報を受信すること、
を含む、ことを特徴とする請求項２〜７のいずれか１項に記載のハンドオーバーのためのリソース設定方法。
【請求項９】
前記ハンドオーバーリソース設定情報は、第１ネットワークノードシステム情報ブロードキャストを介して送信されたものであり、又は
前記ハンドオーバーリソース設定情報は、第１ネットワークノード制御シグナリングを介して送信されたものである、
ことを特徴とする請求項２〜８のいずれか１項に記載のハンドオーバーのためのリソース設定方法。
【請求項１０】
前記第１ネットワークノード及び／又は前記第２ネットワークノードと通信することは、
前記第１ネットワークノード及び／又は前記第２ネットワークノードが、アップリンクデータを受信するために、前記移動局は前記ハンドオーバーリソースを用いて、前記アップリンクデータを送信することを含む、
ことを特徴とする請求項２〜９のいずれか１項に記載のハンドオーバーのためのリソース設定方法。
【請求項１１】
前記移動局が前記ハンドオーバーリソースを用いてアップリンクデータを送信することは、
前記アップリンクデータが前記第１ネットワークノードと前記第２ネットワークノードとに同時に届くために、前記移動局は、前記ハンドオーバーリソースを用いて、予め設定されたサイクリックプレフィックス（ＣＰ）値を採用し、前記アップリンクデータを送信することを含み、
ここで、前記予め設定されたＣＰ値が固定の閾値より大きい、
ことを特徴とする請求項１０に記載のハンドオーバーのためのリソース設定方法。
【請求項１２】
前記第１ネットワークノード及び／又は前記第２ネットワークノードと通信することは、
前記移動局は、前記ハンドオーバーリソースを用いて、前記第１ネットワークノード及び／又は前記第２ネットワークノードより送信されたダウンリンクデータを受信することを含む、
ことを特徴とする請求項２〜１１のいずれか１項に記載のハンドオーバーのためのリソース設定方法。
【請求項１３】
前記移動局は前記第１ネットワークノードと同期し、又は、前記移動局と前記第１ネットワークノードとの間に固定の第２タイミングオフセットを有する、
ことを特徴とする請求項２〜１２のいずれか１項に記載のハンドオーバーのためのリソース設定方法。
【請求項１４】
ネットワークノードであって、前記ネットワークノードが第１ネットワークノードであり、
第２ネットワークノードとの間のハンドオーバーリソース設定情報を確定するように構成される確定ユニットと、
前記確定ユニットで確定された前記ハンドオーバーリソース設定情報を移動局に送信するように構成される送信ユニットと、
前記移動局より送信されたハンドオーバー指示情報を受信するように構成される受信ユニットと、
を含み、前記ハンドオーバー指示情報が、前記移動局が間もなくハンドオーバーを行うことを示すために用いられる、
ことを特徴とする前記ネットワークノード。
【請求項１５】
移動局であって、
第１ネットワークノードより送信されたハンドオーバーリソース設定情報を取得するように構成される取得ユニットと、
前記第１ネットワークノードにハンドオーバー指示情報を送信するように構成される送信ユニットと、
前記ハンドオーバーリソース設定情報に指示された設定を用いて、前記第１ネットワークノード及び／又は第２ネットワークノードと通信を行うように構成される通信ユニットと、
を含み、前記ハンドオーバー指示情報が、前記移動局が間もなくハンドオーバーを行うことを示すために用いられる、
ことを特徴とする前記移動局。
【国際調査報告】
2019507967.tif 000011
2019507967.tif 000012
2019507967.tif 000013
2019507967.tif 000014